(57)【要約】【課題】  ＬＥＤ光源などによって発生するフリッカを撮影前に視認し易くし、フリッカの発生しないシャッタースピードを精密に設定することができる撮像装置を提供すること。【解決手段】  撮像装置は、撮像素子２０６と、システム制御部２２５とを有する。システム制御部２２５は、静止画撮像シーケンスで撮像された画像を表示する第１のライブビュー表示モード、又は静止画撮像シーケンスとは異なる撮像シーケンスで撮像された画像を表示する第２のライブビュー表示モードに切り替える。第１のライブビュー表示モードは、画像の一部を切り出して略ピクセル等倍以上の拡大倍率で表示する拡大ライブビュー表示モードと、拡大倍率よりも低い倍率の通常倍率ライブビュー表示モードとを少なくとも有する。【選択図】      図１
2019134257.tif 000002
【特許請求の範囲】
【請求項１】
デジタル画像を撮影可能な撮像装置であって、
被写体を撮像して前記デジタル画像を逐次出力する撮像部と、
前記撮像部に対して設定されるシャッタースピードの値の系列であるシャッタースピード系列を、第１のシャッタースピード系列と、前記第１のシャッタースピード系列よりも細かい第２のシャッタースピード系列とのいずれかに切り替えるシャッタースピード切替部と、
前記撮像部の露出時間を、前記シャッタースピード切替部によって切り替えられた前記第１のシャッタースピード系列又は前記第２のシャッタースピード系列に従って制御するシャッタースピード制御部と、
ライブビュー表示モードを、前記第２のシャッタースピード系列のシャッタースピードの値で撮像された画像の全画素を読み出す静止画撮像シーケンスで撮像された前記デジタル画像を逐次表示させる第１のライブビュー表示モード、又は前記静止画撮像シーケンスとは異なる画素の加算又は画素の間引き読み出しを実施する撮像シーケンスで撮像された前記デジタル画像を逐次表示させる第２のライブビュー表示モードに切り替えるライブビュー表示モード切替部と、
前記ライブビュー表示モード切替部によって切り替えられた前記ライブビュー表示モードで前記デジタル画像を表示する表示部と、
を具備し、
前記第１のライブビュー表示モードは、前記デジタル画像の一部を切り出して略ピクセル等倍以上の拡大倍率で表示させる拡大ライブビュー表示モードと、前記拡大倍率よりも低い倍率の通常倍率ライブビュー表示モードとを少なくとも有することを特徴とする撮像装置。
【請求項２】
前記第１のライブビュー表示モードにおいて、前記拡大ライブビュー表示モードと前記通常倍率ライブビュー表示モードとを順次に切り替える切替部を具備することを特徴とする請求項１に記載の撮像装置。
【請求項３】
前記表示部は、前記拡大ライブビュー表示モードで表示される前記デジタル画像である拡大ライブビュー表示と、前記通常倍率ライブビュー表示モードで表示される前記デジタル画像である通常倍率ライブビュー表示とを同時に表示することを特徴とする請求項１に記載の撮像装置。
【請求項４】
電子ローリングシャッターを使用する第１ドライブモードと、前記電子ローリングシャッター以外のシャッターを使用する第２ドライブモードとのいずれかにドライブモードを設定するシャッターモードまたはドライブモード設定部を具備し、
前記シャッタースピード切替部が前記第２のシャッタースピード系列に切り替えた場合、前記シャッタースピード制御部は、前記第１ドライブモードを推奨する、又は前記シャッターモードまたはドライブモード設定部に対する制御によって前記第１ドライブモードに再設定することを特徴とする請求項１に記載の撮像装置。
【請求項５】
電子ローリングシャッターを使用する第１ドライブモードと、前記電子ローリングシャッター以外のシャッターを使用する第２ドライブモードとのいずれかにドライブモードを設定するシャッターモードまたはドライブモード設定部を具備し、
前記シャッタースピード切替部が前記第２のシャッタースピード系列に切り替えた場合、前記シャッタースピード制御部は、前記シャッターモードまたはドライブモード設定部に対する制御によって前記第２ドライブモードへの設定を禁止することを特徴とする請求項１に記載の撮像装置。
【請求項６】
前記シャッタースピード制御部は、前記第１のライブビュー表示モードにおいて、細かい刻み又は粗い刻みでシャッタースピードを変更することを特徴とする請求項１に記載の撮像装置。
【請求項７】
前記シャッタースピード制御部は、前記第１のライブビュー表示モードにおいて、シャッタースピードをスイープすることを特徴とする請求項１に記載の撮像装置。
【請求項８】
前記シャッタースピード制御部は、前記第２のライブビュー表示モードにおいて、前記第２のライブビュー表示モードにおいて設定されたシャッタースピードを整数倍又は整数分の１倍の値に変更することを特徴とする請求項１に記載の撮像装置。
【請求項９】
前記ライブビュー表示モード切替部は、前記第１のライブビュー表示モードにおいて操作されない状態が所定時間経過すると、前記第１のライブビュー表示モードを前記第２のライブビュー表示モードに切り替えることを特徴とする請求項１に記載の撮像装置。
【請求項１０】
デジタル画像を撮影可能な撮像装置であって、
被写体を撮像して前記デジタル画像を逐次出力する撮像部と、
前記撮像部に対して設定されるシャッタースピードの値の系列であるシャッタースピード系列を、第１のシャッタースピード系列と、前記第１のシャッタースピード系列よりも細かい第２のシャッタースピード系列とのいずれかに切り替えるシャッタースピード切替部と、
前記撮像部の露出時間を、前記シャッタースピード切替部によって切り替えられた前記第１のシャッタースピード系列又は前記第２のシャッタースピード系列に従って制御するシャッタースピード制御部と、
ライブビュー表示モードを、前記第２のシャッタースピード系列のシャッタースピードの値で撮像された画像の全画素を読み出す静止画撮像シーケンス又は動画撮像シーケンスで撮像された前記デジタル画像を逐次表示させる第１のライブビュー表示モード、又は静止画撮影モードの場合は静止画撮像シーケンスと異なる画像の加算又は画素の間引き読み出しを実施する撮像シーケンスで撮像された前記デジタル画像を逐次表示させ、動画撮影モードの場合は前記第２のシャッタースピード系列のシャッタースピードの値で撮像された動画を逐次表示させる第２のライブビュー表示モードに切り替えるライブビュー表示モード切替部と、
前記ライブビュー表示モード切替部によって切り替えられた前記ライブビュー表示モードで表示し、さらに複数のシャッタースピードを同時に表示する表示部と、
を具備し、
前記シャッタースピード切替部は、シャッタースピードを、前記表示部に同時に表示される前記複数のシャッタースピードのなかから１つのシャッタースピードに変更し、
前記第１のライブビュー表示モードは、前記デジタル画像の一部を切り出して略ピクセル等倍以上の拡大倍率で表示させる拡大ライブビュー表示モードと、前記拡大倍率よりも低い倍率の通常倍率ライブビュー表示モードとを少なくとも有することを特徴とする撮像装置。
【請求項１１】
動画を撮影可能な撮像装置であって、
被写体を撮像して前記動画を逐次出力する撮像部と、
前記撮像部に対して設定されるシャッタースピードの値の系列であるシャッタースピード系列を、第１のシャッタースピード系列と、前記第１のシャッタースピード系列よりも細かい第２のシャッタースピード系列とのいずれかに切り替えるシャッタースピード切替部と、
前記撮像部の露出時間を、前記シャッタースピード切替部によって切り替えられた前記第１のシャッタースピード系列又は前記第２のシャッタースピード系列に従って制御するシャッタースピード制御部と、
ライブビュー表示モードを、前記第２のシャッタースピード系列のシャッタースピードの値で撮像された画像の全画素を読み出す動画撮像シーケンスで撮像された前記動画を逐次表示させる第１のライブビュー表示モード、又は前記動画撮像シーケンスで撮像され、動画ピクチャーモードで設定された画像処理を施された前記動画を逐次表示させる第２のライブビュー表示モードに切り替えるライブビュー表示モード切替部と、
前記ライブビュー表示モード切替部によって切り替えられたライブビュー表示モードで表示する表示部と、
ライブビューの出力モードを、モニターモードと記録モードとのいずれかに設定する設定部と、
前記モニターモードが設定された際には切り替えられたライブビュー表示モードによって前記表示部に表示される前記動画と同じ動画を外部に出力し、前記記録モードが設定された際には前記第１のライブビュー表示モードの前記動画又は前記第２のライブビュー表示モードの前記動画を前記表示部に出力し、情報表示のない等倍表示の前記第２のライブビュー表示モードの前記動画を前記外部に出力する出力部と、
を具備することを特徴とする撮像装置。
【発明の詳細な説明】
【技術分野】
【０００１】
本発明は、撮像装置に関する。
【背景技術】
【０００２】
蛍光灯は、１００Ｈｚ（電源周波数が５０Ｈｚ）又は１２０Ｈｚ（同６０Ｈｚ）で明滅する。このような明滅を繰り返すフリッカ光源下で撮影が行われたときに、撮影された画像にフリッカによる横縞が発生する場合があることが知られている。フリッカによる横縞の影響を抑制するための手法として、例えば特許文献１が挙げられる。特許文献１に開示されるカメラ装置は、蛍光灯の明滅周期を検出し、明滅周期に同期して、明るさの比較的安定しているピーク付近において高速シャッタースピードで撮影することで、明滅の影響を低減している。
【先行技術文献】
【特許文献】
【０００３】
【特許文献１】特開２００４−１９３９２２号公報
【発明の概要】
【発明が解決しようとする課題】
【０００４】
近年、省エネ、長寿命化の観点から、例えば体育館、室内演芸場及び一般家庭における室内照明は、蛍光灯からＬＥＤに変わりつつある。商用電源周波数の２倍の低速な周期で明滅する蛍光灯に対して、ＬＥＤ照明機器は数ｋＨｚ〜数百ｋＨｚという高速な周波数で明滅し、明滅の明暗差も蛍光灯に比べて格段に大きい。また、一般的に、ＬＥＤ光源に限らず明滅を繰り返すフリッカ光源の周波数は理想的に安定しておらず、フリッカ光源の位相とピークタイミングとの検出にも多少の処理時間を要するため、現実的にはフリッカ光源の位相と撮影時刻の多少の時間的なズレが生じる。このため、特に、数ｋＨｚ〜数百ｋＨｚで高速に明滅するＬＥＤでは、明滅のタイミングを精度よく検出することが難しく、撮影開始タイミングを精度よく明るさのピークに同期させることは困難である。
【０００５】
また、蛍光灯による明暗の横縞と異なり、ＬＥＤによる明暗の横縞は撮像素子の１画素ラインごとの細い横縞になることが多い。このため、カメラの表示画面では、ＬＥＤによる明暗の横縞を視認することは難しい。これはカメラの表示画面の大きさがＰＣなどの画面に比べて小さく、また表示画面の表示画素数が撮像素子の画素数に対して圧倒的に少ないためである。さらに、撮影前にカメラの表示画面に表示されるライブビュー画像は、実際に静止画撮影時に使用される撮像シーケンスとは全く異なる撮像シーケンスで得られた画像である。したがって、撮影前の横縞の状態と撮像時の横縞の状態とは通常は一致しない。
【０００６】
このため、ユーザ（撮影者）は、撮影時に横縞を予見することができず、撮影終了後にＰＣのモニタなどの大画面で細い横縞を発見して、撮影現場に問題があったことに初めて気付くことになる。
【０００７】
本発明は、これらの事情に鑑みてなされたものであり、ＬＥＤ光源などによって発生するフリッカを撮影前に視認し易くし、フリッカの発生しないシャッタースピードを精密に設定することができる撮像装置を提供することを目的とする。
【課題を解決するための手段】
【０００８】
前記の目的を達成するために、本発明の撮像装置の一態様は、デジタル画像を撮影可能な撮像装置であって、被写体を撮像して前記デジタル画像を逐次出力する撮像部と、前記撮像部に対して設定されるシャッタースピードの値の系列であるシャッタースピード系列を、第１のシャッタースピード系列と、前記第１のシャッタースピード系列よりも細かい第２のシャッタースピード系列とのいずれかに切り替えるシャッタースピード切替部と、前記撮像部の露出時間を、前記シャッタースピード切替部によって切り替えられた前記第１のシャッタースピード系列又は前記第２のシャッタースピード系列に従って制御するシャッタースピード制御部と、ライブビュー表示モードを、前記第２のシャッタースピード系列のシャッタースピードの値で撮像された画像の全画素を読み出す静止画撮像シーケンスで撮像された前記デジタル画像を逐次表示させる第１のライブビュー表示モード、又は前記静止画撮像シーケンスとは異なる画素の加算又は画素の間引き読み出しを実施する撮像シーケンスで撮像された前記デジタル画像を逐次表示させる第２のライブビュー表示モードに切り替えるライブビュー表示モード切替部と、前記ライブビュー表示モード切替部によって切り替えられた前記ライブビュー表示モードで前記デジタル画像を表示する表示部と、を具備し、前記第１のライブビュー表示モードは、前記デジタル画像の一部を切り出して略ピクセル等倍以上の拡大倍率で表示させる拡大ライブビュー表示モードと、前記拡大倍率よりも低い倍率のライブビュー表示モードとを少なくとも有する。
【０００９】
前記の目的を達成するために、本発明の撮像装置の一態様は、デジタル画像を撮影可能な撮像装置であって、被写体を撮像して前記デジタル画像を逐次出力する撮像部と、前記撮像部に対して設定されるシャッタースピードの値の系列であるシャッタースピード系列を、第１のシャッタースピード系列と、前記第１のシャッタースピード系列よりも細かい第２のシャッタースピード系列とのいずれかに切り替えるシャッタースピード切替部と、
前記撮像部の露出時間を、前記シャッタースピード切替部によって切り替えられた前記第１のシャッタースピード系列又は前記第２のシャッタースピード系列に従って制御するシャッタースピード制御部と、ライブビュー表示モードを、前記第２のシャッタースピード系列のシャッタースピードの値で撮像された画像の全画素を読み出す静止画撮像シーケンス又は動画撮像シーケンスで撮像された前記デジタル画像を逐次表示させる第１のライブビュー表示モード、又は静止画撮影モードの場合は静止画撮像シーケンスと異なる画像の加算又は画素の間引き読み出しを実施する撮像シーケンスで撮像された前記デジタル画像を逐次表示させ、動画撮影モードの場合は前記第２のシャッタースピード系列のシャッタースピードの値で撮像された前記動画を逐次表示させる第２のライブビュー表示モードに切り替えるライブビュー表示モード切替部と、前記ライブビュー表示モード切替部によって切り替えられた前記ライブビュー表示モードで表示し、さらに複数のシャッタースピードを同時に表示する表示部と、を具備し、前記シャッタースピード切替部は、シャッタースピードを、前記表示部に同時に表示される前記複数のシャッタースピードのなかから１つのシャッタースピードに変更し、前記第１のライブビュー表示モードは、前記デジタル画像の一部を切り出して略ピクセル等倍以上の拡大倍率で表示させる拡大ライブビュー表示モードと、前記拡大倍率よりも低い倍率の通常倍率ライブビュー表示モードとを少なくとも有する。
【００１０】
前記の目的を達成するために、本発明の撮像装置の一態様は、動画を撮影可能な撮像装置であって、被写体を撮像して前記動画を逐次出力する撮像部と、前記撮像部に対して設定されるシャッタースピードの値の系列であるシャッタースピード系列を、第１のシャッタースピード系列と、前記第１のシャッタースピード系列よりも細かい第２のシャッタースピード系列とのいずれかに切り替えるシャッタースピード切替部と、前記撮像部の露出時間を、前記シャッタースピード切替部によって切り替えられた前記第１のシャッタースピード系列又は前記第２のシャッタースピード系列に従って制御するシャッタースピード制御部と、ライブビュー表示モードを、前記第２のシャッタースピード系列のシャッタースピードの値で撮像された画像の全画素を読み出す動画撮像シーケンスで撮像された前記動画を逐次表示させる第１のライブビュー表示モード、又は前記動画撮像シーケンスで撮像され、動画ピクチャーモードで設定された画像処理を施された前記動画を逐次表示させる第２のライブビュー表示モードに切り替えるライブビュー表示モード切替部と、前記ライブビュー表示モード切替部によって切り替えられたライブビュー表示モードで表示する表示部と、ライブビューの出力モードを、モニターモードと記録モードとのいずれかに設定する設定部と、前記モニターモードが設定された際には切り替えられたライブビュー表示モードによって前記表示部に表示される前記動画と同じ動画を外部に出力し、前記記録モードが設定された際には前記第１のライブビュー表示モードの前記動画又は前記第２のライブビュー表示モードの前記動画を前記表示部に出力し、情報表示のない等倍表示の前記第２のライブビュー表示モードの前記デジタル画像を前記外部に出力する出力部と、を具備する。
【発明の効果】
【００１１】
本発明は、ＬＥＤ光源などによって発生するフリッカを撮影前に視認し易くし、フリッカの発生しないシャッタースピードを精密に設定することができる撮像装置を提供できる。
【図面の簡単な説明】
【００１２】
【図１】図１は、本発明の第１の実施形態に係る撮像装置の一例としてのカメラシステムの構成を示すブロック図である。
【図２】図２は、カメラシステムの外観構成を示す図である。
【図３】図３は、カメラシステムの表示部に表示される各ライブビュー画像を説明する図である。
【図４Ａ】図４Ａは、静止画を撮像するためのカメラシステムの動作を示すフローチャートである。
【図４Ｂ】図４Ｂは、第１のライブビュー表示モード処理のためのカメラシステムの動作を示すフローチャートである。
【図４Ｃ】図４Ｃは、設定画面において拡大倍率の設定を説明する図である。
【図４Ｄ】図４Ｄは、拡大倍率設定処理のためのカメラシステムの動作を示すフローチャートである。
【図４Ｅ】図４Ｅは、拡大倍率設定処理の変形例のためのカメラシステムの動作を示すフローチャートである。
【図４Ｆ】図４Ｆは、ピクセル等倍倍率特定処理のためのカメラシステムの動作を示すフローチャートである。
【図４Ｇ】図４Ｇは、第２のライブビュー表示モード処理のためのカメラシステムの動作を示すフローチャートである。
【図４Ｈ】図４Ｈは、ボタンダイヤル操作処理のためのカメラシステムの動作を示すフローチャートである。
【図４Ｉ】図４Ｉは、第１のライブビュー表示モード用のボタンダイヤル操作処理のためのカメラシステムの動作を示すフローチャートである。
【図４Ｊ】図４Ｊは、自動スイープ処理のためのカメラシステムの動作を示すフローチャートである。
【図４Ｋ】図４Ｋは、第２のライブビュー表示モード用のボタンダイヤル操作処理のためのカメラシステムの動作を示すフローチャートである。
【図４Ｌ】図４Ｌは、表示モード切替ボタンの第１押下処理のためのカメラシステムの動作を示すフローチャートである。
【図４Ｍ】図４Ｍは、通常ライブビュー表示モード用のボタンダイヤル操作処理のためのカメラシステムの動作を示すフローチャートである。
【図４Ｎ】図４Ｎは、表示モード切替ボタンの第２押下処理のためのカメラシステムの動作を示すフローチャートである。
【図４Ｏ】図４Ｏは、第２押下処理の第１の変形例のためのカメラシステムの動作を示すフローチャートである。
【図４Ｐ】図４Ｐは、ドライブ変更処理のためのカメラシステムの動作を示すフローチャートである。
【図４Ｑ】図４Ｑは、第２押下処理の第２の変形例のためのカメラシステムの動作を示すフローチャートである。
【図４Ｒ】図４Ｒは、撮影モード変更処理のためのカメラシステムの動作を示すフローチャートである。
【図４Ｓ】図４Ｓは、撮影モード変更処理の第１の変形例のためのカメラシステムの動作を示すフローチャートである。
【図４Ｔ】図４Ｔは、撮影モード変更処理の第２の変形例のためのカメラシステムの動作を示すフローチャートである。
【図４Ｕ】図４Ｕは、表示モード切替ボタンの第１押下処理の第１の変形例のためのカメラシステムの動作を示すフローチャートである。
【図５】図５は、第２の実施形態に係る第１のライブビュー表示モード処理のためのカメラシステムの動作を示すフローチャートである。
【図６】図６は、通常倍率ライブビュー表示と拡大ライブビュー表示とを同時に表示する表示部の一例を示す図である。
【図７】図７は、通常倍率ライブビュー表示と拡大ライブビュー表示とを同時に表示する表示部の一例を示す図である。
【図８】図８は、第３の実施形態を示し、設定エラー処理のためのカメラシステムの動作を示すフローチャートである。
【図９】図９は、第４の実施形態に係る撮像装置の一例としてのカメラシステムが接続された外部機器を示す図である。
【図１０Ａ】図１０Ａは、動画撮影におけるカメラシステムと外部機器との動作を示すフローチャートである。
【図１０Ｂ】図１０Ｂは、表示部に対する表示処理の動作を示すフローチャートである。
【図１０Ｃ】図１０Ｃは、外部表示部に対する表示処理の動作を示すフローチャートである。
【図１１】図１１は、第５の実施形態を示し、撮像素子のシャッタースピードの値を照明光のデューティー周期として設定した状態で照明光の出射を制御する動作を示すフローチャートである。
【発明を実施するための形態】
【００１３】
以下、図面を参照して本発明の各実施形態について説明する。なお、一部の図面では図示の明瞭化のために部材の一部の図示を省略する。
【００１４】
［第１の実施形態］
以下に、図１と図２とを参照して本発明の第１の実施形態について説明する。図１は、第１の実施形態の撮像装置の一例としてのカメラシステム１の構成を示すブロック図である。図２は、カメラシステム１の外観構成を示す図である。
【００１５】
図１と図２とに示すようにカメラシステム１は、レンズ１００とカメラ本体２００とが一体に構成されているレンズ一体式のカメラシステムである。なお、カメラシステム１は、必ずしもレンズ一体式のカメラシステムでなくてもよい。例えば、カメラシステム１は、交換式のレンズがカメラ本体２００に着脱自在に構成されているレンズ交換式のカメラシステムでもよい。
【００１６】
図１に示すようにレンズ１００は、撮影レンズ１０１と、絞り１０３と、液晶絞り１０５とを有している。
【００１７】
撮影レンズ１０１は、被写体からの光束をカメラ本体２００の後述する撮像素子２０６に結像させるための光学系である。撮影レンズ１０１は、フォーカスレンズを含む単一又は複数のレンズを有している。ここで、撮影レンズ１０１は、ズームレンズとして構成されていてもよい。絞り１０３は、撮影レンズ１０１の光軸上に配置され、口径が機械的に可変に構成されている。絞り１０３は、撮影レンズ１０１を通過して撮像素子２０６に入射する被写体からの光束を規制する。液晶絞り１０５は、撮影レンズ１０１の光軸上に配置され、絞り１０３と撮像素子２０６との間に配置される。液晶絞り１０５は、液晶に印加される電圧によって、電気的に光の透過を制限するように構成されている。液晶絞り１０５は、絞り１０３を通過して撮像素子２０６に入射する被写体からの光束を規制する。
【００１８】
カメラ本体２００は、レンズ制御部２０１と、絞り制御部２０３と、液晶絞り制御部２０５と、撮像素子２０６と、撮像制御部２０７と、アナログデジタル（Ａ／Ｄ）変換部２０９と、メモリ２１１と、画像処理部２１３と、露出制御部２１５と、ＡＦ処理部２１７と、外部メモリ２１９と、表示部２２１と、不揮発性メモリ２２３と、システム制御部２２５と、操作部２２７と、電源制御部２２９と、電源部２３１と、フラッシュ制御部２３３と、フラッシュ充電部２３５と、フラッシュ発光部２３７とを有している。ここで、カメラ本体２００の各ブロックは、例えばハードウェアによって構成されている。しかしながら各ブロックは、必ずしもハードウェアによって構成されている必要はなく、ソフトウェアによって構成されていてもよい。また、カメラ本体２００の各ブロックは、単一のハードウェア又はソフトウェアによって構成されていなくてもよく、複数のハードウェア又はソフトウェアによって構成されていてもよい。
【００１９】
レンズ制御部２０１は、システム制御部２２５からの制御信号に基づいて、撮影レンズ１０１のフォーカスレンズ又はズームレンズを駆動する。絞り制御部２０３は、システム制御部２２５からの制御信号に基づいて、絞り１０３の口径を制御する。液晶絞り制御部２０５は、システム制御部２２５からの制御信号に基づいて、液晶絞り１０５に印加する電圧を制御する。
【００２０】
撮像部として機能する撮像素子２０６は、撮影レンズ１０１の光軸上であって、液晶絞り１０５の後方で、かつ、撮影レンズ１０１によって被写体からの光束が結像される位置に配置されている。撮像素子２０６は、二次元的又は三次元的に配置された画素を有する。各画素は、受光量に応じた電荷を生成する。また、各画素には、カラーフィルタが形成されている。このような撮像素子２０６は、被写体（被写界）を撮像して画像信号を生成する。ここで、撮像素子２０６は、焦点検出画素を有していてよい。撮像制御部２０７は、撮像素子２０６を駆動する。また、撮像制御部２０７は、撮像素子２０６で生成された画像信号の読み出しを制御する。
【００２１】
Ａ／Ｄ変換部２０９は、撮像素子２０６から出力された画像信号を、デジタル形式の画像データに変替する。
【００２２】
メモリ２１１は、例えば、電気的に書き替えできるＳＤＲＡＭであり、Ａ／Ｄ変換部２０９又は画像処理部２１３から出力された画像データ、ＡＦ処理部２１７又はシステム制御部２２５における処理データといった各種データを一時的に記憶する。なお、一時記憶用としてＤＲＡＭが用いられてもよい。
【００２３】
画像処理部２１３は、画像データに対して各種の画像処理を施す。画像処理部２１３は、ハードウェアによって構成されていてもよいし、ソフトウェアによって構成されていてもよいし、ハードウェアとソフトウェアの組み合わせによって構成されていてもよい。画像処理部２１３は、画像の表示や記録のために必要な基本画像処理を画像データに対して施す。この基本画像処理には、例えば、ホワイトバランス（ＷＢ）補正処理、色再現処理、階調補正処理、エッジ強調処理、ノイズ低減処理が含まれる。画像処理部２１３は、画像データに対して特殊な視覚効果を与えるための特殊画像処理を施す。特殊画像処理には、例えば、トリミング処理、コントラスト強調処理が含まれる。これらの特殊画像処理は、例えば後で説明する第１のライブビュー表示モード時の横縞の強調表示に用いられる。
【００２４】
露出制御部２１５は、自動露出（ＡＥ）処理を行う。具体的には、露出制御部２１５は、画像データ等から取得される被写体輝度に基づいて又は操作部２２７の設定に基づいて、撮影条件（例えば、拡大倍率、絞り値及びシャッタースピードの値）を制御する。
【００２５】
ＡＦ処理部２１７は、自動ピント調節（ＡＦ）処理を行う。具体的には、ＡＦ処理部２１７は、画像データ等から取得される焦点情報に基づいて撮影レンズ１０１に含まれるフォーカスレンズの駆動を制御する。焦点情報は、例えば画像データから算出されるＡＦ評価値（コントラスト値）であってもよいし、焦点検出画素等の出力から算出されるデフォーカス量であってもよい。
【００２６】
外部メモリ２１９は、例えばＦｌａｓｈメモリといった記憶媒体であり、カメラ本体２００に装填されるように構成されている。外部メモリ２１９は、画像処理部２１３によって処理された画像データを所定の形式の画像ファイルとして記憶する。
【００２７】
表示部２２１は、例えば液晶ディスプレイや有機ＥＬディスプレイといった表示部２２１であって、例えばカメラ本体２００の背面（図２参照）に配置される。表示部２２１は、システム制御部２２５によって駆動され、静止画又は動画といった各種の画像を表示する。ここで、表示部２２１は、必ずしもカメラ本体２００に設けられている必要はない。表示部２２１は、例えば、カメラ本体２００と通信自在に接続されたＴＶモニタ等であってもよい。表示部２２１は、操作部２２７の各種のボタン及びダイヤルといった操作部材の操作と同様の機能を果たすタッチパネル等の機能を有してもよい。
【００２８】
不揮発性メモリ２２３は、例えばＦｌａｓｈメモリといった記憶媒体であり、カメラ本体２００に内蔵されるように構成されている。不揮発性メモリ２２３は、カメラ本体２００の動作に必要なプログラムを記憶している。また、不揮発性メモリ２２３は、カメラ本体２００の各種の処理に必要な情報を記憶している。この情報は、例えば画像処理のパラメータの情報を含む。
【００２９】
システム制御部２２５は、不揮発性メモリ２２３に記憶されているプログラムに従ってカメラ本体２００の各ブロックを制御する。システム制御部２２５は、必ずしもマイクロコンピュータとして構成されている必要はなく、ＡＳＩＣ、ＦＰＧＡ等によって構成されていてもよい。
【００３０】
電源制御部２２９は、カメラ本体２００の操作部２２７に配置される図示しない電源ボタンのＯＮ状態又はＯＦＦ状態に応じて、電源部２３１からの電力の供給を制御する。電源ボタンがＯＮ状態となると、電源部２３１は、カメラ本体２００の各ブロックに電力を供給する。電源ボタンがＯＦＦ状態となると、電源部２３１は、各ブロックへの電力の供給を停止する。電源部２３１は、例えば、一次電池でも二次電池でもよいし、図示しない外部電源から電力を供給されるものでもよい。
【００３１】
フラッシュ制御部２３３は、フラッシュ充電部２３５及びフラッシュ発光部２３７それぞれの駆動又は停止を制御する。フラッシュ充電部２３５は、フラッシュ発光部２３７によるフラッシュ発光のために必要な電力を蓄える。フラッシュ発光部２３７は、例えばＬＥＤ光源と反射傘とを有する。このフラッシュ発光部２３７は、フラッシュ制御部２３３からのフラッシュ発光の指示に応じて照明光を発する。
【００３２】
図２に示すように、操作部２２７は、撮影モードダイヤル３１１と、レリーズボタン（シャッターボタン）３１３と、Ｒダイヤル３１５と、Ｆダイヤル３１７と、拡大ボタン３１９と、メニューボタンである十字ボタン３２１と、決定ボタンであるＯＫボタン３２３と、表示モード切替ボタン３２５と、ドライブボタン３２６と、動画ボタン３３５と、テレコンボタン３３７とを有する。操作部２２７は、各種のボタン及びダイヤルといった操作部材の操作状態を検知し、検知結果を示す信号をシステム制御部２２５に出力する。
【００３３】
撮影モードダイヤル３１１は、カメラシステム１の撮影モードを選択するためのダイヤルである。撮影モードは、例えば、プログラム撮影モード（以下、Ｐモードと称する）と、絞り優先撮影モード（以下、Ａモードと称する）と、シャッター優先撮影モード（以下、Ｓモードと称する）と、マニュアル撮影モード（以下、Ｍモードと称する）とを含む。
【００３４】
レリーズボタン３１３は、静止画の撮影をシステム制御部２２５に指示するためのボタンである。レリーズボタン３１３は、２段階式の押しボタンである。レリーズボタン３１３が１段階目まで浅く押されそのままの状態を半押しとし、２段階目まで深く押し込まれた状態を全押しとする。半押しで被写体にピントが合わさり、全押しで静止画が撮像される。動画ボタン３３５は、動画の撮影をシステム制御部２２５に指示するためのボタンである。テレコンボタン３３７は、画像の一部の拡大をシステム制御部２２５に指示するためのボタンである。
【００３５】
Ｒダイヤル３１５及びＦダイヤル３１７は、カメラ本体２００の動作状態によって割り当てられる機能が変わるダイヤルである。例えば静止画撮影中では、Ｒダイヤル３１５は、撮像素子２０６のシャッタースピードの変更をシステム制御部２２５に指示するダイヤルとして機能する。また例えば静止画撮影中では、Ｆダイヤル３１７は、撮像素子２０６の拡大倍率の変更をシステム制御部２２５に指示するダイヤルとして機能する。
【００３６】
拡大ボタン３１９は、表示部２２１に表示される画像の一部分の拡大をシステム制御部２２５に指示するためのボタンである。
【００３７】
ドライブボタン３２６は、撮像素子２０６のドライブモードをシステム制御部２２５に指示（指定）するためのボタンである。ドライブボタン３２６が押し下げられると、ドライブモードを表示するメニュー画面が表示部２２１に表示される。ドライブモードは、撮像シーケンスと対応しており、例えば、単写モード、連写モードなどを含む。また、ドライブモードは、使用されるシャッターとの関連付けがされている。すなわち、ドライブモードが決まると、使用されるシャッターが決まる。使用されるシャッターは、例えば、メカシャッター、電子先幕シャッター、電子ローリングシャッターなどを含む。なお、ドライブモードとシャッターモードとは、個別に設定されるようになっていてもよい。
【００３８】
十字ボタン３２１は、カメラ本体２００の各種設定値の変更及び設定を指示し、各種モードの変更及び設定を指示するためのボタンである。十字ボタン３２１は、撮像素子２０６（撮像部）のシャッタースピード系列を、第１のシャッタースピード系列と、第１のシャッタースピード系列よりも細かい第２のシャッタースピード系列とのいずれかに切り替えるシャッタースピード切替部としても機能する。ここでシャッタースピード系列とは、撮像素子２０６に対して設定できるシャッタースピードの値の系列のことである。そしてシステム制御部２２５は、撮像部の露出時間を、十字ボタン３２１（シャッタースピード切替部）によって切り替えられた第１のシャッタースピード系列又は第２のシャッタースピード系列に従って制御するシャッタースピード制御部として機能する。第１のシャッタースピード系列及び第２のシャッタースピード系列それぞれに含まれるシャッタースピードの値は、不揮発性メモリ２２３に記憶される。
【００３９】
ＯＫボタン３２３は、各種設定値の変更及び設定を決定し、各種モードの変更及び設定を決定するためのボタンである。
【００４０】
表示モード切替ボタン３２５は、カメラ本体２００のライブビュー表示モードを、第１のシャッタースピード系列に基づく通常ライブビュー表示モードと、第２のシャッタースピード系列に基づくライブビュー表示モードとの何れかに切り替えるライブビュー表示モード切替部として機能するボタンである。第２のシャッタースピード系列に基づくライブビュー表示モードは、第１のライブビュー表示モードの他に、第２のライブビュー表示モードを有する。表示モード切替ボタン３２５は、第２のシャッタースピード系列に基づくライブビュー表示モード下において、カメラ本体２００のライブビュー表示モードを、第１のライブビュー表示モードと、第２のライブビュー表示モードとの何れかに切り替えるライブビュー表示モード切替部として機能するボタンでもある。表示部２２１は、表示モード切替ボタン３２５によって切り替えられたライブビュー表示モードでデジタル画像を表示する。
【００４１】
次に、通常ライブビュー表示モードと第１、２のライブビュー表示モードとについて説明する。
【００４２】
通常ライブビュー表示モードは、第１のシャッタースピード系列に基づいた撮影を行うために、ユーザがフレーミングを行うためのライブビュー表示モードであり、ユーザによって指定されたＷＢやピクチャーモードに基づいた基本画像処理が行われた画像を表示部２２１にて表示するモードである。通常ライブビュー表示モードで表示される画像を通常ライブビュー画像３５１（図３参照）と称する。
【００４３】
第１、２のライブビュー表示モードは、明滅を繰り返すフリッカ光源下で発生し得る横縞の発生を抑制するために、第２のシャッタースピード系列に基づいた撮影を行うためのライブビュー表示モードである。
【００４４】
第１のライブビュー表示モードにおいて、静止画撮像シーケンス（フレームレート及び露出時間等）で撮像素子２０６は駆動する。第１のライブビュー表示モードでは、静止画撮像シーケンスで得られた全画素の高精細な画像から生成された画像がライブビュー表示される。第２のライブビュー表示モードでは、画素の加算または画素の間引き読み出しなどによって読み出しスピードを上げ、被写体の追従性及び視認性を優先した撮像シーケンスで撮像素子２０６を駆動する。この撮像シーケンスは、静止画撮像シーケンスとは異なる。
【００４５】
第１のライブビュー表示モードは、ユーザがライブビューを確認しながら第２のシャッタースピード系列から横縞の発生しないシャッタースピードを選択および設定するための表示モードである。ここでは例えば４つのシャッタースピードの値が記憶されており、ユーザは４つの値から１つの値を十字ボタン３２１の左右ボタンを使って選択することができる。またユーザは、選択値の値自体を、さらに十字ボタン３２１の上下ボタンを使って、ライブビューを目視しながら変更することが可能である。実際の撮影において、選択値は、４つ以上でも良いし、１つでも良い。第１のライブビュー表示モードは、粗い横縞または流れる横縞を視認するための低い拡大倍率を用いるライブビュー表示モードと、低い拡大倍率では確認できない１画素ライン単位の横縞を視認するためにピクセル等倍を意識した高い拡大倍率を用いるライブビュー表示モードとから構成される。高い拡大倍率では粗い横縞は視認できないため、シャッタースピードは、必ず高・低の２つ以上の拡大倍率を用いるライブビューが視認された状態で、設定される必要がある。設定が簡単に切り替わるなどして、シャッタースピードの設定と横縞の視認とが同時に確認できることが重要である。第１のライブビュー表示モードでは、横縞をさらに強調して視認しやすいように、特殊な画像処理が実施されても良い。例えばモノクロ化のような画像処理が実施されることで、第１のライブビュー表示モード状態であることが分かり易いと言う副次効果もある。
【００４６】
第２のライブビュー表示モードは、画素の加算又は画素の間引き読み出しを実施する撮像シーケンスで撮像された画像を表示部２２１にて逐次表示するモードであり、第２のシャッタースピード系列で撮影するためのモードである。第２のライブビュー表示モードでは、横縞の視認性よりも動く被写体の追従性及び視認性が最優先され、静止画撮像シーケンスより、高いフレームレート、短い表示レイテンシーでリフレッシュタイムを短縮した撮像シーケンスで、撮像素子２０６は駆動される。第２のライブビュー表示モードにおいて、表示部２２１が１倍の全体像を表示する場合、表示デバイスの画素数に合わせて画素の加算又は画素の間引き読み出しが実施され、撮像の高速性が担保される。
【００４７】
第１、２のライブビュー表示モードでは、通常ライブビュー表示モードのシャッタースピード系列のシャッタースピードよりも細かいシャッタースピード系列のシャッタースピードを十字ボタン３２１によって選択及び設定できる。通常ライブビュー表示モードのシャッタースピード系列は、例えば、１段刻み、１／２段刻み、１／３段刻みといったシャッタースピードの値を有し、第１、２のライブビュー表示モードのシャッタースピード系列はこれよりも細かい刻み、例えば、１／５０段刻み〜１／５００段刻みといったシャッタースピードの値を有する。
【００４８】
第１のライブビュー表示モードで表示される画像を第１のライブビュー画像３５３（図３参照）と称し、第２のライブビュー表示モードで表示される画像を第２のライブビュー画像３５５（図３参照）と称する。
【００４９】
図３に示すように、通常ライブビュー表示モードにおいて、表示モード切替ボタン３２５が短い時間押される（以下、短押しという）と、システム制御部２２５は、通常ライブビュー表示モード（通常ライブビュー画像３５１）から第１のライブビュー表示モード（第１のライブビュー画像３５３）に切り替える。また第１、２のライブビュー表示モードにおいて、表示モード切替ボタン３２５が長い時間押される（以下、長押しという）と、システム制御部２２５は、第１、２のライブビュー表示モード（第１のライブビュー画像３５３又は第２のライブビュー画像３５５）を通常ライブビュー表示モード（通常ライブビュー画像３５１）に切り替える。短押しは、長押しに比べて短時間押されることをいう。
【００５０】
第１のライブビュー表示モードにおいて、表示モード切替ボタン３２５が短押しされると、システム制御部２２５は第１のライブビュー表示モード（第１のライブビュー画像３５３）を第２のライブビュー表示モード（第２のライブビュー画像３５５）に切り替える。第２のライブビュー表示モードにおいて、表示モード切替ボタン３２５が短押しされると、システム制御部２２５は第２のライブビュー表示モード（第２のライブビュー画像３５５）を第１のライブビュー表示モード（第１のライブビュー画像３５３）に切り替える。
【００５１】
また、第１のライブビュー表示モードにおいて、表示モード切替ボタン３２５又は拡大ボタン３１９といった操作部材が押されずに操作部材が操作されない無操作時間が例えば１分〜数分程度といった所定時間だけ経過した場合も、システム制御部２２５は、第１のライブビュー表示モード（第１のライブビュー画像３５３）を第２のライブビュー表示モード（第２のライブビュー画像３５５）に切り替える。第１のライブビュー表示モードでは、静止画撮像シーケンスで得られた全画素の高精細な画像に基づいてライブビュー表示される。このため、第１のライブビュー表示モードでは、撮像素子２０６の温度が上昇しやすい。撮像素子２０６の温度が上がると、撮像素子２０６から出力される画像信号のＳ／Ｎが劣化する。このため、理想的な低ノイズ撮影が困難となる。また、温度がさらに上がると、撮像素子２０６の動作が停止してしまうことがある。すると、撮像素子２０６が再動作可能になるまで撮像素子２０６を冷ます必要があり、冷めるまでに例えば数十分待たないと撮影できなくなり、撮影チャンスが不用意に喪失されてしまう。このため、第１のライブビュー表示モードによるライブビュー表示は、不必要に長く行われないほうが良い。そこで、第１のライブビュー表示モードで無操作時間が所定時間経過すると、システム制御部２２５は、表示モードを第１のライブビュー表示モードから第２のライブビュー表示モードに切り替える。ここでは撮影チャンスの喪失を防止するために、表示モードが第２のライブビュー表示モードに切り替わるが、これに限定される必要はない。例えば、第１のライブビュー表示モードのための短いスリープ時間が設定され、スリープ時間が経過すると第１のライブビュー画像３５３が一時的に消えて、表示モードはスリープ状態に遷移するように構成されても良い。
【００５２】
第１のライブビュー表示モードは、粗い横縞または流れる横縞を視認するのに適した通常倍率ライブビュー表示モードと、１画素ラインの横縞を視認するのに適した略ピクセル等倍以上の拡大倍率で拡大ライブビュー表示する拡大ライブビュー表示モードを有している。また第１のライブビュー表示モードは、通常倍率ライブビュー表示モードと同じ倍率で表示を行い、拡大枠３５３ｄを表示する拡大枠表示モードをさらに有する。通常倍率ライブビュー表示モードで表示される画像を通常倍率ライブビュー画像３５３ａと称し、拡大ライブビュー表示モードで表示される画像を拡大ライブビュー画像３５３ｂと称し、拡大枠表示モードで表示される画像を拡大枠表示画像３５３ｃと称する。拡大枠表示画像３５３ｃは、通常倍率ライブビュー画像３５３ａに拡大枠３５３ｄが加えられた画像である。拡大ライブビュー画像３５３ｂは、拡大枠表示画像３５３ｃに表示される拡大枠３５３ｄに囲まれる画像に相当する領域を全画素の高精細な画像から表示部２２１の画素数に対応させて切り出して表示した高精細な拡大画像である。拡大枠３５３ｄは、拡大するエリアを指定する枠である。拡大枠３５３ｄは、十字ボタン３２１の上下左右ボタンそれぞれの押し下げによって、拡大枠表示画像３５３ｃに対して上下左右それぞれに移動可能となっている。
【００５３】
第１のライブビュー表示モードの通常倍率表示モードにおいて、拡大ボタン３１９が短押しされることによって、システム制御部２２５は通常倍率ライブビュー表示モード（通常倍率ライブビュー画像３５３ａ）を拡大枠表示モード（拡大枠表示画像３５３ｃ）に切り替える。拡大枠表示モードにおいて、拡大ボタン３１９が短押しされることによって、システム制御部２２５は拡大枠表示モード（拡大枠表示画像３５３ｃ）を拡大ライブビュー表示モード（拡大ライブビュー画像３５３ｂ）に切り替える。拡大ライブビュー表示モードにおいて、拡大ボタン３１９が短押しされることによって、システム制御部２２５は、拡大ライブビュー表示モード（拡大ライブビュー画像３５３ｂ）を通常倍率ライブビュー表示モード（通常倍率ライブビュー画像３５３ａ）に切り替える。このように拡大ボタン３１９は、通常倍率ライブビュー表示モードと拡大ライブビュー表示モードと拡大枠表示モードとを順次（交互）に切り替える切替部として機能する。
【００５４】
第１のライブビュー画像３５３には、シャッタースピード系列が関連付けられたＳｙｎｃ番号（Ｓｙｎｃ１、Ｓｙｎｃ２、Ｓｙｎｃ３、Ｓｙｎｃ４）が表示される。
【００５５】
拡大枠表示画像３５３ｃでは、十字ボタン３２１は、拡大枠３５３ｄを、拡大枠表示画像３５３ｃで確認したい細かい横縞の見やすい位置に移動できる。
【００５６】
実用的には、拡大枠３５３ｄの位置、言い換えると、拡大ライブビュー画像３５３ｂに表示される部分、さらに言い換えると、拡大させたい部分は、例えば通常倍率ライブビュー画像３５３ａの中央といった通常倍率ライブビュー画像３５３ａの所定位置に固定されることで、拡大枠表示モードが省略されてもよい。この場合、拡大ボタン３１９は、通常倍率ライブビュー表示モード（通常倍率ライブビュー画像３５３ａ）と拡大ライブビュー表示モード（拡大ライブビュー画像３５３ｂ）とを交互に切り替える。拡大枠表示モード（拡大枠表示画像３５３ｃ）が省略されることで、より迅速に、横縞検出に必要な２つの拡大倍率状態を切り替えることができる。さらに、背景パターンによる横縞の視認性低下を防ぐために、フォーカスレンズがカメラ本体２００装着されている場合は、第１のライブビュー表示モードにおいてのみ自動的にあえてピントをぼかすように動作させても良い。
【００５７】
次に、本実施形態におけるカメラシステム１の動作を説明する。図４Ａは、静止画を撮像するためのカメラシステム１の動作を示すフローチャートである。図４Ａの動作は、主にシステム制御部２２５によって制御される。図４Ａの動作は、図示しない電源ボタンがＯＮされると、開始される。
【００５８】
ステップＳ１において、システム制御部２２５は、ライブビュー表示モードの状態を管理するためのフラグであるＳＹＮＣモードフラグをチェックする。ＳＹＮＣモードフラグは、０と１との２つの状態を有する。ＳＹＮＣモードフラグの状態は、ライブビュー表示モードの現在の状態と表示モード切替ボタン３２５の操作とに応じて交互に切り替わる。ＳＹＮＣモードフラグが０と判定されたとき、処理はステップＳ２に移行する。ステップＳ２において、システム制御部２２５は、通常ライブビュー表示モードでライブビュー表示を実施する。そして、処理はステップＳ６に移行する。
【００５９】
ステップＳ１において、ＳＹＮＣモードフラグが１と判定されたとき、処理はステップＳ３に移行する。ステップＳ３において、システム制御部２２５は、第１、２のライブビュー表示モード中の表示状態を管理するためのフラグであるＳＹＮＣ表示フラグをチェックする。ＳＹＮＣ表示フラグは、０と１との２つの状態を有する。ＳＹＮＣ表示フラグの状態は、第１、２のライブビュー表示モードの現在の状態と表示モード切替ボタン３２５の操作とに応じて交互に切り替わる。ＳＹＮＣ表示フラグが１と判定されたとき、処理はステップＳ４に移行する。ステップＳ４において、システム制御部２２５は、後述する第１のライブビュー表示モード処理に移行する。そして、処理はステップＳ６に移行する。またステップＳ３において、ＳＹＮＣ表示フラグが０と判定されたとき、処理はステップＳ５に移行する。ステップＳ５において、システム制御部２２５は、後述する第２のライブビュー表示モード処理に移行する。そして、処理はステップＳ６に移行する。
【００６０】
ステップＳ６においてシステム制御部２２５は後述するボタンダイヤル操作処理を実施し、処理はステップＳ７に移行する。
【００６１】
ステップＳ７において、システム制御部２２５は、表示モード切替ボタン３２５又は拡大ボタン３１９が押されない無操作時間が所定時間経過したか否かを判定する。ステップＳ７において無操作時間が所定時間経過したと判定された際、処理はステップＳ８に移行する。ステップＳ８においてシステム制御部２２５は、ＳＹＮＣ表示フラグを０に設定し、処理はステップＳ９に移行する。ステップＳ７において無操作時間が所定時間経過する前に表示モード切替ボタン３２５又は拡大ボタン３１９が押されたと判定されたとき、処理はステップＳ９に移行する。
【００６２】
ステップＳ９において、システム制御部２２５は、ユーザによってレリーズボタン３１３が半押しされたか否かを判定する。ステップＳ９においてレリーズボタン３１３が半押しされていないと判定された際、処理はステップＳ１に戻る。ステップＳ９においてレリーズボタン３１３が半押したと判定された際、処理はステップＳ１０に移行する。ステップＳ１０においてシステム制御部２２５は、被写体にピントを合わせるためにレンズ制御部２０１を制御する。その後、処理はステップＳ１１に移行する。
【００６３】
ステップＳ１１において、システム制御部２２５は、ユーザによってレリーズボタン３１３が全押しされたか否かを判定する。ステップＳ１１においてレリーズボタン３１３が全押しされていないと判定された際、処理はステップＳ１に戻る。ステップＳ１１においてレリーズボタン３１３が全押したと判定された際、処理はステップＳ１２に移行する。ステップＳ１２においてシステム制御部２２５は、設定されたシャッタースピードの値で静止画を撮影し、処理はステップＳ１に戻る。撮影された静止画は、表示部２２１に表示される。
【００６４】
次に図４Ｂを参照して、ステップＳ４に示す第１のライブビュー表示モード処理について説明する。図４Ｂは、第１のライブビュー表示モード処理のためのカメラシステム１の動作を示すフローチャートである。ステップＳ２１乃至ステップＳ２５における処理はこの順で実施されるが、実施の順番は、特に限定されない。
【００６５】
ステップＳ２１において、システム制御部２２５は、撮像素子２０６の撮像シーケンスを変更する。具体的には、システム制御部２２５は、撮像シーケンスを、第２のシャッタースピード系列のシャッタースピードの値で撮像された画像の全画素を読み出すシーケンスに変更する。これに伴ってシステム制御部２２５は、第１のライブビュー画像３５３に表示されるシャッタースピードを例えば小数点第一位まで表示させる。シャッタースピード系列が第１のシャッタースピード系列から第２のシャッタースピード系列に切り替わることで、システム制御部２２５は、通常ライブビュー表示モードのシャッタースピードよりも細かいシャッタースピードを設定できる。また、システム制御部２２５がシャッタースピードを例えば小数点第一位まで表示させることで、ユーザは細かいシャッタースピードの値を確認できる。なお、シャッタースピードの表示桁は、小数点第一位までに限定されるものではない。シャッタースピード系列の刻み値によって、シャッタースピードは小数点第二位以降まで表示されてもよい。
【００６６】
ただし、あまりにも細かい刻みは無駄であるばかりか、ユーザがシャッタースピードを変更する上で、無意味に手間がかかるのみである。そのため、例えば１／２４をこえる長秒時側は、第１のシャッタースピード系列と同じにするか、省いてしまっても良い。これは超高速側にも言えることで、例えば１／４０００を超える高速シャッターは省いてしまったほうが良い。このため、本実施形態の第２のシャッタースピード系列は、第１のシャッタースピード系列が６０〜１／３２０００の範囲であるのに対して、１／６０〜１／１０００の狭い範囲に限定されている。ただし、本実施形態の第２のシャッタースピード系列は、これに限るものではなく、第１のシャッタースピード系列の中速領域のみ細かいシャッタースピードとするように構成しても構わない。
【００６７】
ステップＳ２２において、システム制御部２２５は、第１のライブビュー表示モードが実施される際に、通常ライブビュー表示モード用のメニュー設定を無効にする処理を実施する。具体的には、システム制御部２２５は、被写体を捉えるための理想的なファインダー機能を実現するための機能を無効にする。この機能は、例えば、ライブビューブーストの機能と、フレームレートの調整機能と、フリッカ低減の機能とを有している。
【００６８】
ライブビューブーストの機能は、ライブビュー表示される画像の明るさを自動調整する機能である。通常ライブビュー表示モードにおいてライブビューブーストの機能がＯＦＦのときは、システム制御部２２５は、露出補正シミュレーションやカラーシミュレーションを実施する。しかしながら、第１のライブビュー表示モードでは、システム制御部２２５は、横縞の検出能力を優先してこの実施を無効とする。通常ライブビュー表示モードにおいてライブビューブーストの機能がＯＮのときは、システム制御部２２５は、通常ライブビュー画像３５１が暗い時には、ゲインを上げたり、フレームレートを遅くしたりして、通常ライブビュー画像３５１の明るさを確保する。しかしながら、第１のライブビュー表示モードでは、横縞を正確に検出するためにフレームレートは固定されるため、システム制御部２２５は通常ライブビュー画像３５１に対する明るさ確保機能を無効とする。
【００６９】
フレームレートの調整機能は、ライブビュー表示が実施される際のフレームレートを自動調整する機能である。通常ライブビュー表示モードにおいてフレームレートが標準に設定されているときは、システム制御部２２５は、フレームレートを標準のフレームレート（例えば３０ｆｐｓ）に設定する。しかしながら、第１のライブビュー表示モードでは、システム制御部２２５はこのようなフレームレートの設定を無効とする。また、通常ライブビュー表示モードにおいてフレームレートが高速に設定されているときは、システム制御部２２５は、フレームレートを高速のフレームレート（例えば１２０ｆｐｓ）に設定する。しかしながら、第１のライブビュー表示モードでは、このようなフレームレートの設定を無効にする。すなわち、第１のライブビュー表示モードでは、フレームレートは、標準でも高速でもない所定のフレームレートに設定される。
【００７０】
フリッカ低減の機能は、ライブビュー表示される画像にフリッカが発生ないようにフレームレートを遅くする機能であり、横縞の検出を妨げてしまう。よって本実施形態では、システム制御部２２５は、フリッカ低減の設定によらずにフリッカ低減が実施されないように設定する。
【００７１】
ステップＳ２３において、システム制御部２２５は、通常ライブビュー表示モードのための操作部材の使用を禁止する処理を実施する。具体的には、システム制御部２２５は、第１、２のライブビュー表示モードにおけるシャッタースピードを決定するために、シャッタースピードの決定のために使用される操作部材を除いた操作部材の使用を全て無効にする。
【００７２】
ステップＳ２４において、画像処理部２１３は、第１のライブビュー表示モード用の画像処理を実施する。具体的には、画像処理部２１３は、第１のライブビュー画像３５３における横縞を視認しやすいように、第１のライブビュー画像３５３をハイコントラスト化する。画像処理部２１３は、横縞の視認のためにモノクロ化するなど、第１のライブビュー画像３５３の色合いなどを変更しても良い。色合いを変えることによって、ユーザは、ボタン押下による通常ライブビューから第１のライブビュー及び第２のライブビュー間の遷移を明確に認識することができる。
【００７３】
ステップＳ２５において、システム制御部２２５は、ステップＳ７にて説明した無操作時間に対する所定時間を設定する。システム制御部２２５は、予め不揮発性メモリ２２３に記録された値を所定時間に設定してもよいし、操作部２２７から入力された値を所定時間に設定してもよい。ステップＳ２５の後、処理は、ステップＳ２６に移行する。
【００７４】
ステップＳ２６において、システム制御部２２５は、拡大倍率を設定する処理である後述する拡大倍率設定処理を実施する。この拡大倍率は、第１のライブビュー表示モードの拡大ライブビュー表示モードにおける拡大倍率として設定される。
【００７５】
ステップＳ２７において、システム制御部２２５は、第１のライブビュー表示モードの状態を管理するためのフラグである拡大フラグをチェックする。拡大フラグは、０と１と２との３つの状態を有する。拡大フラグの状態は、拡大ボタン３１９の操作に応じて順次に切り替わる。拡大フラグが０と判定されたとき、処理はステップ２８に移行する。ステップＳ２８において、システム制御部２２５は、通常倍率ライブビュー表示モードを実施する。拡大フラグが１と判定されたとき、処理はステップＳ２９に移行する。ステップＳ２９において、システム制御部２２５は、拡大枠表示モードを実施する。拡大フラグが２と判定されたとき、処理はステップＳ３０に移行する。ステップＳ３０において、システム制御部２２５は、拡大ライブビュー表示モードを実施する。ステップＳ２８、Ｓ２９、Ｓ３０の後、処理はステップＳ６に移行する。
【００７６】
ここで図４Ｃを参照して、ステップＳ２６（拡大倍率設定処理）における拡大倍率の設定操作について説明する。図４Ｃは表示部２２１に表示される拡大倍率の設定画面において拡大倍率の設定を説明する図である。
【００７７】
拡大倍率は、前回拡大した時に用いられた倍率（以下、前回の倍率と称する）と、ピクセル等倍付近の倍率（以下、ピクセル等倍倍率）と、予め設定された固定倍率とのなかからユーザによって選択される。前回の倍率と固定倍率とのそれぞれの値は、不揮発性メモリ２２３に記録されている。ピクセル等倍倍率は、後述するピクセル等倍倍率特定処理によって算出される。
【００７８】
表示部２２１に表示されるカスタムメニューのなかから、メニュー項目「拡大倍率設定」がユーザによる例えば十字ボタン３２１の上ボタン又は下ボタンの操作によって選択される。「拡大倍率設定」が選択された状態で、例えば十字ボタン３２１の右ボタンが押されると、「拡大倍率設定」画面が呼び出され、メニュー項目「前回の倍率」が表示される。「拡大倍率設定」画面においてメニュー項目「前回の倍率」が表示されている状態で、十字ボタン３２１の下ボタンが押されると、メニュー項目の表示はメニュー項目「ピクセル等倍倍率」に切り替わる。「拡大倍率設定」画面においてメニュー項目「ピクセル等倍倍率」が表示されている状態で、下ボタンが押されると、メニュー項目の表示はメニュー項目「固定倍率」に切り替わる。「拡大倍率設定」画面においてメニュー項目「固定倍率」が表示されている状態で、十字ボタン３２１の上ボタンが押されると、メニュー項目の表示はメニュー項目「ピクセル等倍倍率」に切り替わる。「拡大倍率設定」画面においてメニュー項目「ピクセル等倍倍率」が表示されている状態で、上ボタンが押されると、メニュー項目の表示はメニュー項目「前回の倍率」に切り替わる。このように「拡大倍率設定」画面におけるメニュー項目の表示は、上ボタン又は下ボタンの操作によって順次切り替わる。
【００７９】
固定倍率は、倍率の値として、例えば、２倍と、３倍と、５倍と、７倍と、１０倍と、１４倍とを有している。「拡大倍率設定」画面に固定倍率が表示されている状態において、十字ボタン３２１の左ボタン又は右ボタンが押されると、固定倍率の値が順次切り替わる。なお第１のライブビュー表示モードのときには、固定倍率は、予め記録された複数の倍率の中から最低倍率（例えば２倍）また最高倍率（例えば１４倍）に制限されてもよい。
【００８０】
十字ボタン３２１によって前回の倍率とピクセル等倍倍率と固定倍率とのいずれかが選択された状態で、ＯＫボタン３２３が押されると、選択された倍率が拡大倍率に設定される。このように拡大倍率は、設定画面を目視するユーザによる十字ボタン３２１とＯＫボタン３２３との操作によって、前回の倍率とピクセル等倍倍率と固定倍率とのいずれかに設定（指定）される。
【００８１】
なお第１のライブビュー表示モードにおいては、設定できる拡大倍率は、１画素ラインごとの横縞に有意な拡大倍率の設定である。拡大倍率は、ピクセル等倍倍率以上の倍率のみに制限されてもよい。この場合のピクセル等倍倍率は、後述するピクセル等倍倍率特定処理によって算出されてよい。また、拡大倍率は、ユーザによる設定がなされずに、ピクセル等倍倍率以上の所定の倍率に自動的に設定されてもよい。拡大倍率は、Ｆダイヤル３１７によって変更することも可能である。
【００８２】
次に図４Ｄを参照してステップＳ２６における拡大倍率設定処理について説明する。図４Ｄは、拡大倍率設定処理のためのカメラシステム１の動作を示すフローチャートである。
【００８３】
ステップＳ４１において、システム制御部２２５は、ユーザによる十字ボタン３２１とＯＫボタン３２３との操作によって、拡大倍率が前回の倍率と固定倍率とピクセル等倍倍率とのどれに設定（指定）されたかを判定する。
【００８４】
ステップＳ４１において前回の倍率が拡大倍率に設定（指定）されたと判定されたとき、処理はステップ４２に移行し、ステップＳ４２においてシステム制御部２２５は前回の倍率を拡大倍率に設定する。
【００８５】
ステップＳ４１において固定倍率が拡大倍率に設定（指定）されたと判定されたとき、処理はステップ４３に移行し、ステップＳ４３においてシステム制御部２２５はユーザによって設定された固定倍率を拡大倍率に設定する。
【００８６】
ステップＳ４１においてピクセル等倍倍率が拡大倍率に設定（指定）されたと判定されたとき、処理はステップ４４に移行し、ステップＳ４４においてシステム制御部２２５は後述するピクセル等倍倍率特定処理を実施する。
【００８７】
ステップＳ４２、Ｓ４３、Ｓ４４の後、処理はステップ４５に移行する。ステップＳ４５においてシステム制御部２２５は、ＳＹＮＣフラグとＳＹＮＣ表示フラグとをチェックする。ＳＹＮＣフラグが１で且つＳＹＮＣ表示フラグが１と判定されたとき、処理はステップＳ４６に移行する。ステップＳ４６において、システム制御部２２５は、現在設定されている拡大倍率をチェックし、現在の倍率がピクセル等倍未満であれば、ピクセル等倍倍率以上の倍率である推奨拡大倍率に設定する。ステップＳ４６では、第１のライブビュー表示モードであれば、拡大倍率が推奨拡大倍率に強制的に設定される。処理はステップＳ２７に移行する。またステップＳ４５においてＳＹＮＣフラグが０であると判定されたとき、またはＳＹＮＣフラグが１で且つＳＹＮＣ表示フラグが０であると判定されたとき、処理はステップＳ２７に移行する。設定できる固定倍率がピクセル等倍倍率以上の倍率に制限されているときには、ステップＳ４５、Ｓ４６の処理は省略されてもよい。
【００８８】
次に図４Ｅを参照してステップＳ２６における拡大倍率設定処理の変形例について説明する。図４Ｅは、拡大倍率設定処理の変形例のためのカメラシステム１の動作を示すフローチャートである。このフローチャートでは、図４Ｄに示すフローチャートのステップＳ４５とステップＳ４６との間にステップＳ４７が追加されたものである。
【００８９】
ステップＳ４７において、システム制御部２２５は、拡大倍率を略ピクセル等倍以上の倍率と略最低倍率とに間引いて制限する。そして、処理はステップ４６に移行する。
【００９０】
次に図４Ｆを参照してステップＳ４４におけるピクセル等倍倍率特定処理について説明する。図４Ｆは、ピクセル等倍倍率特定処理のためのカメラシステム１の動作を示すフローチャートである。
【００９１】
ステップＳ５１において、システム制御部２２５は、表示画像のサイズの設定をフルサイズに設定する。処理はステップＳ５２に移行し、ステップＳ５２において、システム制御部２２５は、表示部２２１の画素数を算出する。処理はステップＳ５３に移行し、ステップＳ５３において、システム制御部２２５は、表示すべき画像のサイズと表示部２２１の画素数とを基に、ピクセル等倍の倍率を算出する。処理はステップＳ５４に移行し、ステップＳ５４において、システム制御部２２５は、算出した倍率を設定できる拡大倍率の値（例えば固定倍率の値）に丸め処理する。処理はステップＳ５５に移行し、ステップＳ５５において、システム制御部２２５は、丸め処理によって算出された値をピクセル等倍倍率に設定する。そして、処理はステップＳ４５に移行する。
【００９２】
次に図４Ｇを参照して、ステップＳ５に示す第２のライブビュー表示モード処理について説明する。図４Ｇは、第２のライブビュー表示モード処理のためのカメラシステム１の動作を示すフローチャートである。ステップＳ６１乃至ステップＳ６５における処理はこの順で実施されるが、実施の順番は、特に限定されない。ステップＳ６１乃至ステップＳ６５では、システム制御部２２５は、通常ライブビュー表示モードと同じ設定となるように設定をしなおす。
【００９３】
ステップＳ６１において、システム制御部２２５は、撮像素子２０６の撮像シーケンスを、通常ライブビュー表示モード用の撮像シーケンスに変更する。詳細には、システム制御部２２５は、撮像シーケンスを、第１のシャッタースピード系列のシャッタースピードの値で撮像された画像について画素の加算又は画素の間引き読み出しを実施する撮像シーケンスに変更する。これに伴ってシステム制御部２２５は、第２のライブビュー画像３５５に表示されるシャッタースピードを例えば一の位まで表示させる。シャッタースピードの系列が第２のシャッタースピード系列から第１のシャッタースピード系列に切り替わることにより、システム制御部２２５は、第１のライブビュー表示モードのシャッタースピードよりも粗いシャッタースピードを設定できる。また、システム制御部２２５がシャッタースピードを例えば一の位まで表示させることで、ユーザは粗いシャッタースピードの値を確認できる。
【００９４】
ステップＳ６２において、システム制御部２２５は、通常ライブビュー表示モード用のメニュー設定を有効にする処理を実施する。具体的には、システム制御部２２５は、被写体を捉えるための理想的なファインダー機能を実現するための機能を有効にする。この機能は、例えば、上述したステップＳ２２にて説明した、ライブビューブーストの機能と、フレームレートの調整機能と、フリッカ低減の機能とを有している。
【００９５】
ステップＳ６３において、システム制御部２２５は、通常ライブビュー表示モードのための操作部材の使用を有効にする処理を実施する。
【００９６】
ステップＳ６４において、画像処理部２１３は、通常ライブビュー表示モード用の画像処理を実施する。この画像処理は、例えば、ホワイトバランス補正処理といった基本画像処理をいう。
【００９７】
ステップＳ６５において、システム制御部２２５は、ステップＳ７にて説明した無操作時間に対する所定時間を設定する。ステップＳ６５の後、処理は、ステップＳ６６に移行する。
【００９８】
ステップＳ６６において、システム制御部２２５は、第２のライブビュー表示モードの状態を管理するためのフラグである拡大フラグをチェックする。拡大フラグは、０と１と２との３つの状態を有する。拡大フラグの状態は、拡大ボタン３１９の操作に応じて順次に切り替わる。拡大フラグが０と判定されたとき、処理はステップ６７に移行する。ステップＳ６７において、システム制御部２２５は通常倍率ライブビュー表示モードを実施し、第２のライブビュー画像３５５が表示可能となる。拡大フラグが１と判定されたとき、処理はステップＳ６８に移行する。ステップＳ６７において、システム制御部２２５は、拡大枠表示モードを実施し、第２のライブビュー画像３５５に図示しない拡大枠が加えられた図示しない拡大枠表示画像が表示可能となる。拡大フラグが２と判定されたとき、処理はステップＳ６９に移行する。ステップＳ６９において、システム制御部２２５は拡大ライブビュー表示モードを実施し、図示しない拡大枠表示画像に表示される図示しない拡大枠に囲まれる画像を拡大した図示しない拡大ライブビュー画像が表示可能となる。ステップＳ６７、Ｓ６８、Ｓ６９の後、処理はステップＳ６に移行する。
【００９９】
次に図４Ｈを参照して、ステップＳ６に示すボタンダイヤル操作処理について説明する。図４Ｈは、ボタンダイヤル操作処理のためのカメラシステム１の動作を示すフローチャートである。ステップＳ７１において、システム制御部２２５は、ライブビュー表示モードがどの状態であるかをチェックするために、ＳＹＮＣモードフラグの状態とＳＹＮＣ表示フラグの状態とをそれぞれチェックする。
【０１００】
ステップＳ７１において、ＳＹＮＣモードフラグが１で且つＳＹＮＣ表示フラグが１であると判定されたとき、処理はステップＳ７２に移行する。ステップＳ７２において、システム制御部２２５は、後述する第１のライブビュー表示モード用のボタンダイヤル操作処理を実施する。そして、処理はステップＳ７に移行する。
【０１０１】
ステップＳ７１において、ＳＹＮＣモードフラグが１で且つＳＹＮＣ表示フラグが０であると判定されたとき、処理はステップＳ７３に移行する。ステップＳ７３において、システム制御部２２５は、後述する第２のライブビュー表示モード用のボタンダイヤル操作処理を実施する。そして、処理はステップＳ７に移行する。
【０１０２】
ステップＳ７１において、ＳＹＮＣモードフラグが０であると判定されたとき、処理はステップＳ７４に移行する。ステップＳ７４において、システム制御部２２５は、後述する通常ライブビュー表示モード用のボタンダイヤル操作処理を実施する。そして、処理はステップＳ７に移行する。
【０１０３】
次に図４Ｉを参照して、ステップＳ７２に示す第１のライブビュー表示モード用のボタンダイヤル操作処理について説明する。図４Ｉは、第１のライブビュー表示モード用のボタンダイヤル操作処理のためのカメラシステム１の動作を示すフローチャートである。
【０１０４】
ステップＳ８１において、システム制御部２２５は、ユーザによって十字ボタン３２１が押されたか否かを判定する。十字ボタン３２１が押されていないと判定されたとき、処理はステップＳ８９に移行する。十字ボタン３２１が押されたと判定されたとき、処理はステップＳ８２に移行する。
【０１０５】
ステップＳ８２において、システム制御部２２５は、拡大フラグをチェックする。ステップＳ８２において拡大フラグが１と判定されたとき、ライブビュー表示モードは拡大枠表示モードに切り替わっており、拡大枠表示画像３５３ｃが表示されており、処理はステップＳ８３に移行する。処理はステップＳ８３において、システム制御部２２５は、十字ボタン３２１の上下左右ボタンそれぞれの押し下げによって拡大枠表示画像３５３ｃにおいて拡大枠３５３ｄを移動させる。処理は、ステップＳ８７に移行する。
【０１０６】
ステップＳ８２において、拡大フラグが０又は２と判定されたとき、ライブビュー表示モードは通常倍率ライブビュー表示モード又は拡大ライブビュー表示モードに切り替わっており、通常倍率ライブビュー画像３５３ａ又は拡大ライブビュー画像３５３ｂが表示されており、処理はステップＳ８４に移行する。
【０１０７】
ステップＳ８４において、システム制御部２２５は、ユーザによって十字ボタン３２１の上下ボタンと左右ボタンとのどれが操作されたかを判定する。ステップＳ８４において、上ボタン又は下ボタンが押されたと判定されたとき、処理はステップＳ８５に移行する。ステップＳ８５において、システム制御部２２５は、粗い刻みでシャッタースピードを変更する、つまり粗調する。刻み幅は、不揮発性メモリ２２３に予め記憶されている。ステップＳ８５が終了すると、処理はステップＳ８７に移行する。
【０１０８】
ステップＳ８４において、左ボタン又は右ボタンが押されたと判定されたとき、処理はステップＳ８６に移行する。ステップＳ８６において、システム制御部２２５は、Ｓｙｎｃ番号を変更する。Ｓｙｎｃ番号にはそれぞれシャッタースピードが関連付けられており、Ｓｙｎｃ番号の変更によってシャッタースピードが変更される。シャッタースピード切替部である十字ボタン３２１は、シャッタースピードを、表示部２２１に同時に表示される複数のシャッタースピードのなかから１つのシャッタースピードに変更する。ステップＳ８６が終了すると、処理はステップＳ８９に移行する。
【０１０９】
ステップＳ８７において、システム制御部２２５は、ユーザによって十字ボタン３２１の上下ボタンが長押しされたか短押しされたかを判定する。上下ボタンが長押しされたと判定されたとき、処理はステップＳ８８に移行する。ステップＳ８８において、システム制御部２２５は、シャッタースピードを変更するための刻み幅をステップＳ８５で用いられた刻み幅よりも大きな刻み幅に変更する。変更される刻み幅は、不揮発性メモリ２２３に予め記憶されている。そして、処理はステップＳ８１に移行する。ステップＳ８７において、ユーザによって表示モード切替ボタン３２５が短押しされたと判定されたとき、処理はステップＳ８９に移行する。ステップＳ８９において、システム制御部２２５は、刻み幅を基に戻す（刻みを小に変更する）。そして、処理はステップＳ９０に移行する。
【０１１０】
ステップＳ９０において、システム制御部２２５は、シャッタースピードを変更するためのＲダイヤル３１５と拡大倍率を変更するためのＦダイヤル３１７とのどちらが操作されたかを判定する。ステップＳ９０において、Ｒダイヤル３１５が操作されたと判定されたとき、処理はステップＳ９１に移行する。ステップＳ９１において、システム制御部２２５は、ステップＳ８５における刻みよりも細かい刻みでシャッタースピードを変更する、つまり微調する。刻み幅は、不揮発性メモリ２２３に予め記憶されている。そして、処理はステップＳ９３に移行する。ステップＳ８５、Ｓ８８、Ｓ９１において、上下ボタン又はＲダイヤル３１５といった操作方法の違いによって、粗い刻み又は細かい刻みでシャッタースピードが変更される。
【０１１１】
ステップＳ９０において、Ｆダイヤル３１７が操作されたと判定されたとき、処理はステップＳ９２に移行する。ステップＳ９２において、システム制御部２２５は、拡大倍率設定処理にて設定された拡大倍率に、拡大倍率を変更する。そして、処理はステップＳ９３に移行する。
【０１１２】
ステップＳ９３において、システム制御部２２５は、ユーザによって拡大ボタン３１９が操作されたか否かを判定する。ステップＳ９３において、拡大ボタン３１９が押されたと判定されたとき、処理はステップＳ９４に移行する。ステップＳ９４において、システム制御部２２５は、拡大フラグの状態を０、１、２、０、・・・、の順で順次切り替える。そして、処理はステップＳ９５に移行する。ステップＳ９３において、拡大ボタン３１９が押されていないと判定されたとき、処理はステップＳ９５に移行する。
【０１１３】
ステップＳ９５において、システム制御部２２５は、ユーザによって表示モード切替ボタン３２５が押されたか否かを判定する。ステップＳ９５において、表示モード切替ボタン３２５が押されたと判定されたとき、処理はステップＳ９６に移行する。ステップＳ９６において、システム制御部２２５は、後述する表示モード切替ボタン３２５の第１押下処理を実施する。そして、処理はステップＳ９７に移行する。ステップＳ９５において、表示モード切替ボタン３２５が押されていないと判定されたとき、処理はステップＳ９７に移行する。
【０１１４】
ステップＳ９７において、システム制御部２２５は、ユーザによってＯＫボタン３２３が押されたか否かを判定する。ステップＳ９７において、ＯＫボタン３２３が押されたと判定されたとき、処理はステップＳ９８に移行する。ステップＳ９８において、システム制御部２２５は、後述するシャッタースピードの自動スイープ処理を実施する。そして、処理はステップＳ７に移行する。ステップＳ９７において、ＯＫボタン３２３が押されていないと判定されたとき、処理はステップＳ７に移行する。
【０１１５】
次に図４Ｊを参照して、ステップＳ９８に示す自動スイープ処理について説明する。図４Ｊは、自動スイープ処理のためのカメラシステム１の動作を示すフローチャートである。
【０１１６】
第１のライブビュー表示モードにおいてシャッタースピード系列は例えば１／５０段刻み〜１／５００段刻みといった細かい刻みで多数のシャッタースピードの値を有しており、ユーザがこのなかからシャッタースピードを手動で設定するには手間がかかる。システム制御部２２５は、この手間を省くために、ユーザによるＯＫボタン３２３の押下げによって、自動的にシャッタースピードをスイープする。
【０１１７】
ステップＳ１０１において、システム制御部２２５は、ユーザによってＯＫボタン３２３が押され続けているか否かを判定する。ステップＳ１０１において、ＯＫボタン３２３が押され続けていると判定されたとき、処理はステップＳ１０１に移行する。ステップＳ１０１において、ＯＫボタン３２３の押し続けが解除されたと判定されたとき、処理はステップＳ１０２に移行する。ステップＳ１０２において、システム制御部２２５は、ユーザによってＯＫボタン３２３が長押しされたか短押しされたかを判定する。第１のライブビュー表示モードにおいてＯＫボタン３２３が押されると、以下に示すシャッタースピードの自動スイープ処理が開始するようにシステム制御部２２５は構成される。
【０１１８】
ステップＳ１０２において、ＯＫボタン３２３が長押しされたと判定されたとき、処理はステップＳ１０３に移行する。ステップＳ１０３において、システム制御部２２５は、シャッタースピードを最速値に変更する。処理は、ステップＳ１０７に移行する。
【０１１９】
ステップＳ１０２において、ユーザによってＯＫボタン３２３が短押しされたと判定されたとき、処理はステップＳ１０４に移行する。ステップＳ１０４において、システム制御部２２５は、ユーザによって十字ボタン３２１が押されたか否かを判定する。ステップＳ１０４において、ユーザによって十字ボタン３２１が押されていないと判定されたとき、処理はステップＳ１０８に移行する。
【０１２０】
ステップＳ１０４において、ユーザによって十字ボタン３２１が押されたと判定されたとき、処理はステップＳ１０５に移行する。ステップＳ１０５において、ユーザによって十字ボタン３２１の上ボタンと下ボタンとのどちらが押されたかを判定する。上ボタンが押されたと判定されたとき、処理はステップＳ１０６に移行する。ステップＳ１０６において、システム制御部２２５は、スイープする方向を管理（決定）するためのフラグであるスイープ方向フラグを１に設定する。処理は、ステップＳ１０８に移行する。ステップＳ１０５において、下ボタンが押されたと判定されたとき、処理はステップＳ１０７に移行する。ステップＳ１０７において、システム制御部２２５は、スイープ方向フラグを０に設定する。このようにスイープする方向の切り替えは、十字ボタン３２１の上下ボタンの押下によって変更できる。処理は、ステップＳ１０８に移行する。
【０１２１】
ステップＳ１０８において、システム制御部２２５は、所定時間が経過したか否かを判定する。所定時間が経過していなければ、処理はステップＳ１１３に移行する。所定時間が経過したならば、処理はステップＳ１０９に移行する。ステップＳ１０９において、システム制御部２２５は、シャッタースピードを変更する。通常、シャッタースピードは、ＬＥＤの明滅１周期分の高速側が望ましい。このため、ステップＳ１０２におけるＯＫボタン３２３の長押しによって、システム制御部２２５は、シャッタースピード系列の値のなかで最速値から長秒時方向にスイープを開始する。またステップＳ１０２におけるＯＫボタン３２３の短押しによって、システム制御部２２５は、現在記憶されているシャッタースピードの設定値からスイープ方向フラグに応じて記憶されているスイープ方向にスイープする。処理は、ステップＳ１１０に移行する。ステップＳ１１０において、システム制御部２２５は、シャッタースピードをチェックする。ステップＳ１１０において変更されたシャッタースピードが最速である場合、処理は、ステップＳ１１１に移行する。ステップＳ１１１において、システム制御部２２５は、スイープ方向フラグを０に設定する。ステップＳ１１０において変更されたシャッタースピードが最遅である場合、処理は、ステップＳ１１２に移行する。ステップＳ１１２において、システム制御部２２５は、スイープ方向フラグを１に設定する。処理は、ステップＳ１１１、Ｓ１１２の後、ステップＳ１１３に移行する。ステップＳ１０８からステップＳ１１３において、所定時間毎にシャッタースピードが変更されている。
【０１２２】
ステップＳ１１３において、システム制御部２２５は、スイープ中にユーザによってＯＫボタン３２３が押されたか否かを判定する。ステップＳ１１３において、ＯＫボタン３２３が押されたと判定された際、スイープが停止し、処理はステップＳ７に移行する。
【０１２３】
ステップＳ１１３において、ユーザによってＯＫボタン３２３が押されていないと判定された際、処理はステップＳ１１４に移行する。ステップＳ１１４において、システム制御部２２５は、ライン単位の横縞があるか否かを判定する。ステップＳ１１４において、システム制御部２２５は、水平ラインごとの輝度平均値を算出し、垂直方向に明暗の周期性があるかどうか検出する。ステップＳ１１４においてライン単位の横縞があると判定された際、処理はステップＳ１０４に移行する。
【０１２４】
ステップＳ１１４において、ライン単位の横縞がないと判定された際、処理はステップＳ１１５に移行する。ステップＳ１１５において、システム制御部２２５は、全画面が明滅しているか否かを判定する。システム制御部２２５は、全画面の輝度平均値を求め、フレームごとに明暗の周期性があるかどうか検出する。全画面が明滅していないと判定された際、処理はステップＳ７に移行する。ステップＳ１１５において全画面が明滅していると判定された際、処理はステップＳ１０４に移行する。
【０１２５】
次に図４Ｋを参照して、ステップＳ７３に示す第２のライブビュー表示モード用のボタンダイヤル操作処理について説明する。図４Ｋは、第２のライブビュー表示モード用のボタンダイヤル操作処理のためのカメラシステム１の動作を示すフローチャートである。
【０１２６】
ステップＳ１２１において、システム制御部２２５は、ユーザによってシャッタースピードを変更するためのＲダイヤル３１５と撮影モードを変更するためのＦダイヤル３１７とのどちらが回転操作されたかを判定する。
【０１２７】
ステップＳ１２１においてＲダイヤル３１５が回転操作されたと判定されたとき、処理はステップＳ１２２に移行する。ステップＳ１２２において、システム制御部２２５は、設定されたシャッタースピードを、現在の設定値の整数倍又は整数分の１倍の値に変更する。処理は、ステップＳ１２６に移行する。
【０１２８】
ステップＳ１２１においてＦダイヤル３１７が回転操作されたと判定されたとき、処理はステップＳ１２３に移行する。ステップＳ１２３において、システム制御部２２５は、撮影モードがＳモード又はＭモードか否かを判定する。ステップＳ１２３において撮影モードがＳモードであると判定された際、処理はステップＳ１２４に移行する。ステップＳ１２４においてシステム制御部２２５は露出補正値を変更し、処理はステップＳ１２６に移行する。ステップＳ１２３において撮影モードがＭモードであると判定された際、処理はステップＳ１２５に移行する。ステップＳ１２５においてシステム制御部２２５は絞り値を変更し、処理はステップＳ１２６に移行する。
【０１２９】
ステップＳ１２６において、システム制御部２２５は、ユーザによって表示モード切替ボタン３２５が押されたか否かを判定する。ステップＳ１２６において、表示モード切替ボタン３２５が押されていないと判定されたとき、処理はステップＳ７に移行する。ステップＳ１２６において、表示モード切替ボタン３２５が押されたと判定されたとき、処理はステップＳ１２７に移行する。ステップＳ１２７において、システム制御部２２５は、後述する表示モード切替ボタン３２５の第１押下処理を実施する。処理はステップＳ７に移行する。
【０１３０】
次に図４Ｌを参照して、ステップＳ９６とステップＳ１２７とに示す表示モード切替ボタン３２５の第１押下処理について説明する。図４Ｌは、表示モード切替ボタン３２５の第１押下処理のためのカメラシステム１の動作を示すフローチャートである。
【０１３１】
ステップＳ１３１において、システム制御部２２５は、ユーザによって表示モード切替ボタン３２５が長押しされたか短押しされたか否かを判定する。
【０１３２】
ステップＳ１３１において、表示モード切替ボタン３２５が長押しされたと判定されたとき、処理はステップＳ１３２に移行する。ステップＳ１３２において、システム制御部２２５は、ＳＹＮＣモードフラグを０に設定し、ＳＹＮＣ表示フラグを０に設定する。処理はステップＳ９７又はステップＳ７に移行する。
【０１３３】
ステップＳ１３１において、表示モード切替ボタン３２５が短押しされたと判定されたとき、処理はステップＳ１３３に移行する。ステップＳ１３３において、システム制御部２２５は、ＳＹＮＣ表示フラグをチェックし、ＳＹＮＣ表示フラグが０か１かを判定する。ステップＳ１３３において、ＳＹＮＣ表示フラグが１の場合、処理はステップＳ１３４に移行する。ステップＳ１３４において、システム制御部２２５は、ＳＹＮＣ表示フラグを０に設定する。処理はステップＳ９７又はステップＳ７に移行する。ステップＳ１３３において、ＳＹＮＣ表示フラグが０の場合、処理はステップＳ１３５に移行する。ステップＳ１３５において、システム制御部２２５は、ＳＹＮＣ表示フラグを１に設定する。ステップＳ９７又はステップＳ７に移行する。
【０１３４】
次に図４Ｍを参照して、ステップＳ７４に示す通常ライブビュー表示モード用のボタンダイヤル操作処理について説明する。図４Ｍは、通常ライブビュー表示モード用のボタンダイヤル操作処理のためのカメラシステム１の動作を示すフローチャートである。
【０１３５】
ステップＳ１４１において、システム制御部２２５は、表示モード切替ボタン３２５以外の各種ボタン操作を処理する。処理は、ステップＳ１４２に移行する。ステップＳ１４２において、システム制御部２２５は、ユーザによって表示モード切替ボタン３２５が押されたか否かを判定する。ステップＳ１４２において、表示モード切替ボタン３２５が押されたと判定された際、処理はステップＳ１４３に移行する。ステップＳ１４３において、システム制御部２２５は、後述する表示モード切替ボタン３２５の第２押下処理を実施する。処理はステップＳ７に移行する。ステップＳ１４３において、表示モード切替ボタン３２５が押されていないと判定された際、処理はステップＳ７に移行する。
【０１３６】
次に図４Ｎを参照して、ステップＳ１４３に示す表示モード切替ボタン３２５の第２押下処理について説明する。図４Ｎは、表示モード切替ボタン３２５の第２押下処理のためのカメラシステム１の動作を示すフローチャートである。
【０１３７】
ステップＳ１５１において、システム制御部２２５は、撮影モードが静止画又は動画のＳモード及びＭモード以外の撮影モード（例えば、Ｐモード等）か否かを判定する。撮影モードがＳモード及びＭモード以外の撮影モードであると判定された際、処理は、ステップＳ１５２に移行する。ステップＳ１５２において、表示部２２１は、撮影モードをＳモード又はＭモードに設定してください、といった警告（指示）を表示する。第１ライブビュー表示モードでは、フリッカに起因する画像上での横縞をユーザが視認している状況下で、撮影時において横縞が発生しないシャッタースピードをユーザが決めるための表示モードである。したがって、システム制御部２２５は、通常ライブビュー表示モードから第１ライブビュー表示モードへの切り替えに先立って、ユーザによってシャッタースピードを決める撮影モードであるＳモード又はＭモードのみでカメラシステム１が動作するよう、撮影モードの駆動を制御する。この制御は、メモリの容量を削減できるという効果を提供できる。また電力消費の大きいメモリの削減は、カメラシステム１を小型及び軽量化でき、さらに発熱量を小さくできるという効果を提供できる。
【０１３８】
ステップＳ１５１において、撮影モードが静止画又は動画のＳモード又はＭモードであると判定された際、処理はステップＳ１５３に移行する。システム制御部２２５は、電子ローリングシャッターを使用する第１ドライブモードと、電子ローリングシャッター以外のシャッター（例えば、メカシャッター又は電子先幕シャッター）を使用する第２ドライブモードとのいずれかにドライブモードを設定するドライブモード設定部として機能しており、例えば、第１ドライブモードは電子ローリングシャッターで動作する静音シャッターモードを有し、第２ドライブモードはメカ単写モードを有している。ステップＳ１５３において、システム制御部２２５は、ドライブモードが第２ドライブモードに設定されているか否かを判定する。
【０１３９】
ステップＳ１５３において、第２ドライブモードに設定されていると判定された場合、処理は、ステップＳ１５４に移行する。ステップＳ１５４において、システム制御部２２５は、第１ドライブモードを推奨する。この推奨のために、例えば、表示部２２１は、第１ドライブモード（静音シャッターモード）にしてください、第１ドライブモードに変更して下さい、といった推奨（警告）を表示する。第１ライブビュー表示モードでは、フリッカに起因する画像上での横縞をユーザが視認している状況下で、撮影時において横縞が発生しないシャッタースピードをユーザが決めるための表示モードである。フリッカに対する厳密なシャッター制御は、電子ローリングシャッターを用いて実施される。したがって、システム制御部２２５は、通常ライブビュー表示モードから第１ライブビュー表示モードへの切り替えに先立って、電子ローリングシャッターを使用するドライブモードへの変更を推奨することで、プログラムメモリの容量を削減でき、カメラシステム１を小型及び軽量化でき、さらに発熱量を小さくできるという効果を提供できる。
【０１４０】
ステップＳ１５３において、第１ドライブモードに設定されていると判定された場合、処理は、ステップＳ１５５に移行する。ステップＳ１５５において、システム制御部２２５は、ＳＹＮＣモードフラグを１に設定し、ＳＹＮＣ表示フラグを１に設定する。そして処理は、Ｓ７に移行する。
【０１４１】
ドライブモードとシャッターモードとが個別に設定できる場合には、ステップＳ１５３において、システム制御部２２５は、シャッターモードが、電子ローリングシャッターに設定されているか、電子ローリングシャッター以外のシャッターモードが設定されているかを判定してもよい。
【０１４２】
次に図４Ｏを参照して、表示モード切替ボタン３２５の第２押下処理の第１の変形例について説明する。図４Ｏは、第２押下処理の第１の変形例のためのカメラシステム１の動作を示すフローチャートである。
【０１４３】
ステップＳ１５４において、推奨が実施されたが、これに限定される必要はなく、変形例に示すように、システム制御部２２５は第１ドライブモードに再設定してもよく（切り替えてもよく）、言い換えると電子ローリングシャッターを使用する第１ドライブモードにドライブモードを限定してもよい。
【０１４４】
本変形例では、ステップＳ１５４がステップＳ１５７に変更されている。ステップＳ１５７において、システム制御部２２５は、後述するドライブモード変更処理（シャッターモード変更処理）を実施する。ステップＳ１５７において、システム制御部２２５は、通常ライブビュー表示モードから第１ライブビュー表示モードへの切り替えに先立って、ドライブモードを第１ドライブモードに自動的に変更することで操作性を向上させている。このような変更は、メモリの容量を削減でき、カメラシステム１を小型及び軽量化でき、さらに発熱量を小さくできるという効果を提供できる。
【０１４５】
次に図４Ｐを参照して、ステップＳ１５７に示すドライブモード変更処理について説明する。
【０１４６】
図４Ｐは、ドライブモード変更処理のためのカメラシステム１の動作を示すフローチャートである。ドライブモード変更処理において、ドライブモード設定部が第２ドライブモードに設定した際、シャッタースピード制御部は、ドライブモード設定部に対する制御によって第２ドライブモードへの設定を禁止する。
【０１４７】
ステップＳ３０１において、システム制御部２２５は、現在の設定に対応している電子ローリングシャッターを使用するドライブモードがあるか否かを判定する。例えば、現在の設定が単写モードであって、単写モードに電子ローリングシャッターを使うモード（例えば静音単写モード）があるときには、現在の設定に対応していて電子ローリングシャッターを使用するドライブモードがあると判定される。
【０１４８】
ステップＳ３０１において、現在の設定に対応していて電子ローリングシャッターを使用するドライブモードがないと判定された際、処理はステップＳ３０２に移行する。ステップＳ３０２において、システム制御部２２５は、予め定められた特定の電子ローリングシャッター（例えば静音単写モード）を使用するドライブモードに変更する。
【０１４９】
ステップＳ３０１において、現在の設定に対応していて電子ローリングシャッターを使用するドライブモードがあると判定された際、処理はステップＳ３０３に移行する。ステップＳ３０３において、システム制御部２２５は、現在の設定のドライブモードから現在の設定に対応していて電子ローリングシャッターを使用するドライブモードにドライブモードを変更する。処理は、ステップＳ１５５に移行する。以上の実施形態では、ドライブモード設定部であるシステム制御部２２５は、ドライブモードを変更することにより、シャッターモードを電子ローリングシャッターに変更しているが、直接的にシャッターモードを変更（設定）するシャッターモード設定部として構成されても良い。このようにシステム制御部２２５は、シャッターモードまたはドライブモード設定部として機能する。
【０１５０】
次に図４Ｑを参照して、表示モード切替ボタン３２５の第２押下処理の第２の変形例について説明する。図４Ｑは、第２押下処理の第２の変形例のためのカメラシステム１の動作を示すフローチャートである。
【０１５１】
この変形例は、撮影モードを自動変更した変形例であり、ドライブモードにおいて電子ローリングシャッター以外のシャッターモード（例えば、メカシャッター又は電子先幕シャッター）に開放（利用）した例である。撮影モードを変更することで、操作性を向上できる。
【０１５２】
ステップＳ１６１において、システム制御部２２５は、撮影モードがＳモード及びＭモード以外の撮影モードか否かを判定する。撮影モードがＳモード及びＭモード以外の撮影モードであると判定された際、処理は、ステップＳ１６２に移行する。ステップＳ１６２において、システム制御部２２５は、後述する撮影モード変更処理を行う。処理は、ステップＳ１６４に移行する。
【０１５３】
ステップＳ１６１において、撮影モードがＳモード又はＭモードであると判定された際、処理はステップＳ１６３に移行する。ステップＳ１６３において、システム制御部２２５は、ドライブモードが第２ドライブモードに設定されているか否かを判定する。ステップＳ１６３において、第２ドライブモードに設定されていると判定された場合、処理はステップＳ１６４に移行する。
【０１５４】
ステップＳ１６３において、第２ドライブモードに設定されていないと判定された場合、処理はステップＳ１６４に移行する。ここでドライブモード（シャッターモード）の制限がなくなり、メカシャッター又は電子先幕シャッターが利用されると、シャッターは細かいシャッタースピード系列で駆動する。これにより、横縞の発生を防止することができる。この時、システム制御部２２５は、メカシャッターが作り出すスリット幅による露出時間をシャッタースピードの調整値と一致させるため、先幕と後幕とをリリースするタイミングをアクチュエーターの駆動遅れを加味しつつ制御する。しかし、電子ローリングシャッターと異なり、メカシャッターの搖動は１／６ＥＶ程度の露出時間の横縞を含むものであり、この横縞はＬＥＤの明滅周期で強調される恐れがある。この強調を緩和するため、メカシャッターは、設定したシャッタースピードの整数倍で駆動することが望ましい。この操作は、第２のライブビュー上で、ユーザが自ら行っても良いが、第２のライブビューでは、第１のライブビューのシャッタースピードの２倍の値を表示するように構成しても良い。
【０１５５】
ステップＳ１６４において、システム制御部２２５は、ＳＹＮＣモードフラグを１に設定し、ＳＹＮＣ表示フラグを１に設定する。そして処理は、Ｓ７に移行する。
【０１５６】
次に図４Ｒを参照して、ステップＳ１６２に示す撮影モード変更処理について説明する。図４Ｒは、撮影モード変更処理のためのカメラシステム１の動作を示すフローチャートである。
【０１５７】
ステップＳ１７１において、システム制御部２２５は、撮影モードがＰモードとＡモードとのどちらであるかを判定する。撮影モードがＰモードであると判定された際、処理はステップＳ１７２に移行する。システム制御部２２５は、シャッタースピードが固定されたＰモードに露出制御プログラムを変更する。処理は、ステップＳ１６４に移行する。
【０１５８】
ステップＳ１７１において、撮影モードがＡモードであると判定された際、処理はステップＳ１７３に移行する。システム制御部２２５は、Ｍモードに露出制御プログラムを変更する。処理は、ステップＳ１６４に移行する。
【０１５９】
次に図４Ｓを参照して、ステップＳ１６２に示す撮影モード変更処理の第１の変形例について説明する。図４Ｓは、撮影モード変更処理の第１の変形例のためのカメラシステム１の動作を示すフローチャートである。
【０１６０】
ステップＳ１７１において、システム制御部２２５は、撮影モードがＰモードとＡモードとのどちらであるかを判定する。撮影モードがＰモードであると判定された際、処理はステップＳ１７４に移行する。システム制御部２２５は、Ｓモードに露出制御プログラムを変更する。処理は、ステップＳ１６４に移行する。
【０１６１】
ステップＳ１７１において、撮影モードがＡモードであると判定された際、処理はステップＳ１７５に移行する。システム制御部２２５は、Ｍモードに露出制御プログラムを変更する。処理は、ステップＳ１６４に移行する。
【０１６２】
次に図４Ｔを参照して、ステップＳ１６２に示す撮影モード変更処理の第２の変形例について説明する。図４Ｔは、撮影モード変更処理の第２の変形例のためのカメラシステム１の動作を示すフローチャートである。
【０１６３】
ステップＳ１７６において、システム制御部２２５は、Ｍモードに露出制御プログラムを変更する。処理は、ステップＳ１６４に移行する。
【０１６４】
次に図４Ｕを参照して、ステップＳ１２７に示す表示モード切替ボタン３２５の第１押下処理の第１の変形例について説明する。図４Ｕは、表示モード切替ボタン３２５の第１押下処理の第１の変形例のためのカメラシステム１の動作を示すフローチャートである。
【０１６５】
ここでは、ステップＳ１３２が、ステップＳ１３６に変更されている。ステップＳ１３６において、システム制御部２２５は、撮影モード変更取り消し処理を行う。具体的には、システム制御部２２５は、ＳＹＮＣモードフラグを０に設定し、ＳＹＮＣ表示フラグを０に設定する。処理はステップＳ７に移行する。
【０１６６】
本実施形態では、静止画撮像シーケンスを用いる第１のライブビュー表示モードと、静止画撮像シーケンスとは異なる撮像シーケンスを用いる第２のライブビュー表示モードとを切り替える。第１のライブビュー表示モードは、画像の一部を切り出して略ピクセル等倍以上の拡大倍率で表示する拡大ライブビュー表示モードと、拡大倍率よりも低い倍率で表示する通常倍率ライブビュー表示モードとを有する。拡大ライブビュー表示モードの拡大ライブビュー画像３５３ｂにおいて細かい横縞が視認しやすくなり、ユーザは横縞が発生しない高速シャッタースピードを撮影前に簡単に設定できる。静止画撮像シーケンスを用いる第１のライブビュー表示モードでは、全画素が読み出されるため、フレームレートに上限があり、リフレッシュレートが低下し、表示遅れが発生し易い。そこで本実施形態では、無操作時間の所定時間経過によって、第１のライブビュー表示モードを第２のライブビュー表示モードに切り替える。第２のライブビュー表示モードでは、動く被写体の追従性及び視認性が最優先され、静止画撮像シーケンスより、高いフレームレート、短い表示レイテンシーでリフレッシュタイムを短縮した撮像シーケンスで、撮像素子２０６は駆動される。これによりユーザは、第２のライブビュー表示モードの第２のライブビュー画像３５５を視認して、フレーミングに邪魔な横縞もなく、表示遅れもない、静止画を撮影できる。
【０１６７】
このように本実施形態では、ＬＥＤ光源などによって発生するフリッカを撮影前に視認し易くし、フリッカの発生しないシャッタースピードを精密に設定することができる撮像装置を提供できる。
【０１６８】
また第１のライブビュー画像３５３が表示され続けると、撮像素子２０６の温度が上昇し続け、撮像素子２０６から出力される画像信号のＳ／Ｎが劣化する。このため、理想的な低ノイズ撮影が困難となる。また、温度がさらに上がると、撮像素子２０６の動作が停止してしまうことがある。このように撮影チャンスが喪失されることがある。本実施形態では、第１のライブビュー表示モードにおいて無操作時間が所定時間経過すると、表示モードが第２のライブビュー表示モードに切り替わるため、撮像素子２０６の温度が上昇を抑制でき、シャッターチャンスの喪失を未然に防止できる。
【０１６９】
[第２の実施形態]
以下に、図５と図６と図７とを参照して、本発明の第２の実施形態について説明する。本実施形態では、第１の実施形態とは異なることを主に記載する。
【０１７０】
次に図５を参照して、本実施形態の第１のライブビュー表示モード処理について説明する。図５は、第１のライブビュー表示モード処理のためのカメラシステム１の動作を示すフローチャートである。第１の実施形態と同様に、ステップＳ２１乃至ステップＳ２５における処理はこの順で実施されるが、実施の順番は、特に限定されない。
【０１７１】
ステップＳ２５の後、処理は、ステップＳ３１に移行する。ステップＳ３１において、システム制御部２２５は、表示部２２１が通常倍率ライブビュー画像３５３ａと、拡大ライブビュー画像３５３ｂとを同時に表示するように、表示部２２１を制御する。図６と図７とに示すように、通常倍率ライブビュー画像３５３ａは表示部２２１の全体に表示され、拡大ライブビュー画像３５３ｂは通常倍率ライブビュー画像３５３ａに重ね合わされて表示される。通常倍率ライブビュー画像３５３ａは、拡大ライブビュー画像３５３ｂよりも小さいサイズである。例えば、通常倍率ライブビュー画像３５３ａは、四角い拡大ライブビュー画像３５３ｂの四隅の一角に配置される。
【０１７２】
図６に示すように、幅の細い横縞は、撮像素子２０６から得られた全画素データ数に比べて少ない表示画素数を有する表示部２２１に表示された時点で横縞の表示データが失われてしまうため、表示部２２１の表示から完全に消えてしまう。このため幅の細い横縞は、ドットバイドットのピクセル等倍を意識した拡大ライブビュー画像３５３ｂでないと視認することは不可能である。実際の撮影現場で最も問題になるのは、このような場合である。図６に示すように、ユーザは、通常倍率ライブビュー画像３５３ａでは細い横縞に気付けないが、拡大ライブビュー画像３５３ｂを見れば、ドットバイドットまで横縞が拡大されているため、１画素ラインごとの横縞まで視認することができる。
【０１７３】
シャッタースピードがＬＥＤ明滅周期に対してわずかに長かったり短かったりすると、複数の画素ラインごとの幅の広い横縞が表示されやすい。図７に示す拡大ライブビュー画像３５３ｂでは、拡大倍率が大きすぎて幅の広い横縞は縞とは認識されない場合がある。拡大ライブビュー画像３５３ｂに表示される横縞が時間的に流れていると、拡大ライブビュー画像３５３ｂが緩やかに明滅しているようにユーザは感じるため、ユーザはこの明滅によって横縞に気が付くこともある。しかしながら、明滅が発生しない、または非常にゆっくりと明滅する場合は、拡大ライブビュー画像３５３ｂを視認しても、横縞に気が付かないことにもなる。このため図７に示すように、幅の広い横縞や、画面上を流れる横縞は、通常倍率ライブビュー画像３５３ａの方が視認しやすい。以上のように、横縞を確実に視認するためには、ドットバイドットを意識した大きい倍率を用いる拡大ライブビュー画像３５３ｂと、大きい倍率を補完するための小さい倍率を用いる通常倍率ライブビュー画像３５３ａとが少なくとも用いられ、ユーザは２種類の倍率を用いるライブビュー画像３５３ａ、３５３ｂを同時に確認する必要がある。
【０１７４】
このような通常倍率ライブビュー画像３５３ａと拡大ライブビュー画像３５３ｂとを同時に確認できるため、確実にかつ迅速に横縞のないシャッタースピードを設定することができる。
【０１７５】
[第３の実施形態]
以下に、図８を参照して、本発明の第３の実施形態について説明する。本実施形態では、第１の実施形態とは異なることを主に記載する。
【０１７６】
本実施形態では、複数の撮影モードが存在する場合における、Ｓｙｎｃ番号それぞれに関連付けられるシャッタースピードの記憶と替算警告とについて説明する。
【０１７７】
カメラシステム１において設定可能なシャッタースピードは、表示部２２１において小数点第一位まで表示される。しかしながら、シャッタースピードの実際の値は小数点第一位以下の位まで設定され得る。シャッタースピードの取りうる値は撮像素子２０６の撮像シーケンス毎に異なるため、撮像シーケンスが同一でないと、厳密にはシャッタースピードを同一に制御できない。撮像シーケンスは、フレームレートと、全画素の読み出しと、画素の加算及び読み出しといった撮像素子２０６の読み込みモードの設定と、全体読み出し及び部分読み出しといった撮像素子２０６の読み出し領域の設定とによって異なる。このためカメラシステム１が使用する撮影モードは多種多様にわたる。
【０１７８】
静止画の場合は、「全画素の読み出しモード」と「デジタルテレコン」との有無により、２種類の撮像シーケンスが存在する。
【０１７９】
動画の場合は、もっと深刻である。
【０１８０】
「フレームレート」は、６０ｐ：５９．９４ｆｐｓ、５０ｐ：５０．００ｆｐｓ、３０ｐ：２９．９７ｆｐｓ、２５ｐ：２５．００ｆｐs、２４ｐ：２３．９８ｆｐｓ、２４．００ｆｐｓ  と６種類存在する。「画像サイズ」は４Ｋ、Ｃ４Ｋ、ＦＨＤ、ＨＤと４種類存在し、「ムービーテレコン」は有無の２種類存在する。これにより撮像シーケンスは、４８種類（６×４×２）存在する。
【０１８１】
厳密に言えば、横縞を回避するためには、撮影待機時のライブビューで全押し後や動画ボタン３３５押下後の撮影本番の撮像シーケンスで横縞のでないシャッタースピードを確認し、撮影に臨むべきであるがＳｙｎｃ１、Ｓｙｎｃ２、Ｓｙｎｃ３、Ｓｙｎｃ４の４つの記憶値を上記４８種類の撮像シーケンスで別々に保持して活用すると、１９２個（４８×４）のパラメータを意識して扱うことになる。これは、ユーザの操作性の観点からも現実的ではない。
【０１８２】
このため、本発明に関わる実施形態では、シャッタースピードがμｓｅｃ単位まで記憶される。そして、撮像シーケンスが変更されて、シャッタースピードに対してμｓｅｃ単位での不一致が起きた場合、設定された撮像シーケンスにおいて設定可能なシャッタースピードの値のうちシャッタースピードにもっとも近い設定値をシャッタースピードに仮に設定するように構成する。
【０１８３】
ここで図８を参照して、シャッタースピードに対する設定エラー処理について説明する。図８は、シャッタースピードに対する設定エラー処理のためのカメラシステム１の動作を示すフローチャートである。
【０１８４】
ステップＳ１８１において、システム制御部２２５は、シャッタースピードが現在の撮像シーケンスの設定可能値と一致するか否か判定する。シャッタースピードが現在の撮像シーケンスの設定可能値でなければ、処理はステップＳ１８２に移行する。ステップＳ１８２において、システム制御部２２５は、シャッタースピードに最も近い設定値をシャッタースピードに仮に設定する。またシステム制御部２２５は、シャッタースピードに対する不一致（設定エラー）が起きている警告を表示部２２１が表示するように、表示部２２１を制御する。例えば、警告は、不一致を示すアイコンを示してもよいし、シャッタースピードを赤といった色付けで示してもよい。
【０１８５】
このような設定エラー処理が組み込まれることで、ユーザは、動画の４つパラメータ（Ｓｙｎｃ１、Ｓｙｎｃ２、Ｓｙｎｃ３、Ｓｙｎｃ４）と静止画の４つパラメータ（Ｓｙｎｃ１、Ｓｙｎｃ２、Ｓｙｎｃ３、Ｓｙｎｃ４）とを合わせた８つのパラメータだけを念頭におくだけですみ、カメラシステム１を混乱することなく操作できる。
【０１８６】
また、ユーザが最も重視する撮影モードでＳｙｎｃシャッタースピードを調整し、調整したシャッタースピードを記憶すれば、その撮影モードは厳密なシャッタースピードに設定することができ、操作の利便性と横縞除去の厳密性との両方を確保可能である。
【０１８７】
[第４の実施形態]
以下に、図９と図１０Ａと図１０Ｂと図１０Ｃとを参照して、本発明の第４の実施形態について説明する。本実施形態では、第１の実施形態とは異なることを主に記載する。
【０１８８】
図９は、本発明の第４の実施形態に係る撮像装置の一例としてのカメラシステム１と、カメラシステム１がＨＤＭＩ（登録商標）形式のケーブル３２９などの有線によって接続される外部機器３２７とを示す図である。カメラシステム１によって撮影された動画は、カメラシステム１から外部機器３２７に出力され、外部機器３２７に備えられる図示しない記録装置（例えばハードディスク）に記録される。出力又は記録された動画は、外部機器３２７の外部表示部３３１（例えばモニタ）に表示可能となっている。
【０１８９】
本実施形態の第１のライブビュー表示モードでは、第２のシャッタースピード系列のシャッタースピードの値で撮像された画像の全画素を読み出す動画撮像シーケンスで撮像された動画を表示部２２１に逐次表示させるモードである。また第２のライブビュー表示モードでは、動画撮像シーケンスで撮像され、動画ピクチャーモードで設定された画像処理を施された動画を表示部２２１に逐次表示させるモードである。ライブビュー表示モード切替部である表示モード切替ボタン３２５は、カメラ本体２００のライブビュー表示モードを、通常ライブビュー表示モードと、この第１のライブビュー表示モードと、この第２のライブビュー表示モードとの何れかに切り替える。
【０１９０】
システム制御部２２５は、カメラシステム１から出力されるライブビューの出力モードを、モニターモードと記録モードとのいずれかに設定する設定部と、設定された出力モードで外部機器３２７に動画を出力する出力部として機能する。
【０１９１】
モニターモードが設定された際、出力部としてのシステム制御部２２５は、切り替えられたライブビュー表示モードによって表示部２２１に表示される動画と同じ動画とカメラシステム１の情報とを外部機器３２７に出力する。このとき、表示部２２１は、動画のみを表示し、カメラシステム１の情報を表示しない。
【０１９２】
記録モードが設定された際、出力部としてのシステム制御部２２５は、表示部２２１に第１のライブビュー表示モードの第１のライブビュー画像３５３又は第２のライブビュー表示モードの第２のライブビュー画像３５５を出力する。また出力部４０３は、第２のライブビュー表示モードの、情報表示のない等倍表示である第２のライブビュー画像３５５を外部機器３２７に出力する。つまり、出力部としてのシステム制御部２２５は、動画を外部機器３２７に出力する。このとき、カメラシステム１の表示部２２１は、動画を表示せず、カメラシステム１の情報のみを表示する。
【０１９３】
ここで図１０Ａを参照して、動画撮影におけるカメラシステム１と外部機器３２７との処理について説明する。図１０Ａは、動画撮影におけるカメラシステム１と外部機器３２７との動作を示すフローチャートである。
【０１９４】
ステップＳ１９１においてシステム制御部２２５は表示部２２１に対する後述する表示処理を行い、処理はステップＳ１９２に移行する。ステップＳ１９２において外部機器３２７は外部表示部３３１に対する表示処理を行い、処理はステップＳ６に移行する。ステップＳ６においてシステム制御部２２５は上述したボタンダイヤル操作処理を行い、処理はステップＳ１９３に移行する。ステップＳ１９３において、システム制御部２２５は、動画の撮影のために動画ボタン３３５（図２参照）が押されたか否かを判定する。動画ボタン３３５が押されたと判定された場合、処理はＳ１９４に移行する。ステップＳ１９４においてシステム制御部２２５は設定されたシャッタースピードの値で動画を撮影し、処理はステップＳ１９１に戻る。ステップＳ１９３において動画ボタン３３５が押されていないと判定された場合、処理はステップＳ１９１に戻る。
【０１９５】
ここで図１０Ｂを参照して、ステップＳ１９１における表示部２２１に対する表示処理について説明する。図１０Ｂは、表示部２２１に対する表示処理の動作を示すフローチャートである。
【０１９６】
図１０Ｂに示す表示部２２１に対する表示処理では、図４Ａに示すステップＳ１、Ｓ２、Ｓ３、Ｓ４、Ｓ５が実施され、ステップＳ１、Ｓ２、Ｓ３、Ｓ４、Ｓ５における動作の流れも図４に示す流れと同じである。ステップＳ２、Ｓ４、Ｓ５の後、処理はステップＳ１９２に移行する。また、ＳＹＮＣモードフラグが１か０か、ＳＹＮＣ表示フラグが１か０かといった情報は、外部機器３２７に入力される。
【０１９７】
次に図１０Ｃを参照して、ステップＳ１９２における外部表示部３３１に対する表示処理について説明する。図１０Ｃは、外部表示部３３１に対する表示処理の動作を示すフローチャートである。
【０１９８】
ステップＳ２０１において、システム制御部２２５は、出力モードがモニターモードと記録モードとのどちらであるかを判定する。ここで、モニターモードとは、外部機器３２７の外部表示部３３１を、カメラ本体２００の背面に設けられた表示部２２１またはファインダーと同等に扱うことを目的としたモードである。したがって、表示部２２１に表示される動画と同じ動画とカメラシステム１の情報とである撮影情報の出力は、必須となる。記録モードとは、外部機器３２７に入力された映像のみを記録することを目的としたモードである。したがって、撮影情報を表示してはならない。また記録モードでは、特殊画像処理も禁止される必要があり、記録用のピクチャーモードの画像処理でなければならない。出力モードがモニターモードであると判定された場合、処理はステップＳ２０２に移行する。ステップＳ２０２において、システム制御部２２５は、表示部２２１に表示される動画と同じ動画とカメラシステム１の情報とを外部表示部３３１が表示するように、外部機器３２７に指示と動画と情報とを出力して外部表示部３３１を制御する。例えば、表示部２２１が第１のライブビュー表示を実施していれば、外部表示部３３１は第１のライブビュー表示を実施する。処理は、ステップＳ６に移行する。
【０１９９】
ステップＳ２０１において、出力モードが記録モードであると判定されたとき、処理はステップＳ２０３に移行する。
【０２００】
ステップＳ２０３において、システム制御部２２５は、ＳＹＮＣモードフラグをチェックする。ステップＳ２０３において、ＳＹＮＣモードフラグが０であると判定されたとき、処理はステップＳ２０４に移行する。ステップＳ２０４において、システム制御部２２５は、カメラシステム１の情報が表示されず、拡大表示が実施されない、通常ライブビュー表示を外部表示部３３１が実施するように、外部機器３２７に指示を出力して外部表示部３３１を制御する。そして、処理はステップＳ６に移行する。
【０２０１】
ステップＳ２０３において、ＳＹＮＣモードフラグが１であると判定されたとき、処理はステップＳ２０５に移行する。ステップＳ２０５において、システム制御部２２５は、ＳＹＮＣ表示フラグをチェックする。
【０２０２】
ステップＳ２０５において、ＳＹＮＣ表示フラグが１であると判定されたとき、処理はステップＳ２０６に移行する。ステップＳ２０６において、システム制御部２２５は、動画ピクチャーモードで、カメラシステム１の情報が表示されず、拡大表示が実施されない、第１のライブビュー表示を外部表示部３３１が実施するように、外部機器３２７に指示を出力して外部表示部３３１を制御する。そして、処理はステップＳ６に移行する。
【０２０３】
またステップＳ２０５において、ＳＹＮＣ表示フラグが０であると判定されたとき、処理はステップＳ２０７に移行する。ステップＳ２０７において、システム制御部２２５は、カメラシステム１の情報が表示されず、拡大表示が実施されない、第２のライブビュー表示を外部表示部３３１が実施するように、外部機器３２７に指示を出力して外部表示部３３１を制御する。そして、処理はステップＳ６に移行する。
【０２０４】
本実施形態では、通常ライブビュー表示モードにおいて、カメラシステム１の情報が表示されず、拡大表示が実施されない、通常ライブビュー表示を外部表示部３３１が実施できる。第１のライブビュー表示モードにおいて、動画ピクチャーモードで、カメラシステム１の情報が表示されず、拡大表示が実施されない、第１のライブビュー表示を外部表示部３３１が実施できる。第２のライブビュー表示モードでは、カメラシステム１の情報が表示されず、拡大表示が実施されない、第２のライブビュー表示を外部表示部３３１が実施できる。
【０２０５】
[第５の実施形態]
以下に、図１１を参照して、本発明の第５の実施形態について説明する。本実施形態では、第１の実施形態とは異なることを主に記載する。
【０２０６】
一般的にＬＥＤ照明では、特性のために、ＤＣ駆動よりもＡＣ駆動（デューティー駆動）が行われる。この特性とは、照明素子の発熱を抑え、照明光の演色性を高め、照明素子の長寿命化を図り、照明素子のためのバッテリーの持ちを良くし、照明光の光量の制御範囲を大きくとり且つ照明素子のための制御回路を簡素化することをいう。特性は、例えば、静止画を撮影するプロの撮影者や動画を撮影するプロの撮影者にとって重要である。また特性は、例えば、カプセル内視鏡などの極端に大きさの制限されたデバイスではその重要性はさらに増加する。
【０２０７】
このような場合、システム制御部２２５は、受動的に照明光の明滅を検出するだけではなく、照明素子と能動的に通信して照明光のデューティー周期を検出して、撮像素子２０６のシャッタースピードの値をこの周期として設定する。そしてシステム制御部２２５は、設定された状態で照明光が出射されるようにフラッシュ発光部２３７を制御することが有効である。
【０２０８】
ここで図１１を参照して、撮像素子２０６のシャッタースピードの値を照明光のデューティー周期として設定した状態で照明光の出射を制御する動作について説明する。図１１は、このためのカメラシステム１の動作を示すフローチャートである。
【０２０９】
ステップＳ２３１において、システム制御部２２５は、カメラシステム１が撮影待機中であるかをチェックする。待機中ではないと判定されたとき、処理はステップＳ２４０に移行する。待機中であると判定されたとき、処理はステップＳ２３２に移行する。
【０２１０】
ステップＳ２３２において、システム制御部２２５は、フラッシュ制御部２３３に対して照明光が出射される状態かをチェックする。出射される状態ではないと判定されたとき、処理はステップＳ２４０に移行する。出射される状態であると判定されたとき、処理はステップＳ２３３に移行する。
【０２１１】
ステップＳ２３３において、システム制御部２２５は、ライブビュー表示が実施されているかをチェックする。
【０２１２】
ステップＳ２３３において、ライブビュー表示が実施されていると判定されたとき、処理はステップＳ２３４に移行する。ステップＳ２３４において、システム制御部２２５は、撮像素子２０６のライブビュー表示用のシャッタースピードの値を照明光のデューティー周期として設定する。処理はステップＳ２３６に移行する。
【０２１３】
ステップＳ２３３において、ライブビュー表示が実施されていないと判定されたとき、処理はステップＳ２３５に移行する。ステップＳ２３５において、システム制御部２２５は、ファインダーにおける目視用の撮像素子２０６のシャッタースピードの所定値を照明光のデューティー周期として設定する。処理はステップＳ２３６に移行する。所定値は、予め不揮発性メモリ２２３に記録された値である。
【０２１４】
ステップＳ２３６において、システム制御部２２５は、カメラシステム１が撮影する直前の状態かをチェックする。撮影直前の状態ではないと判定されたとき処理はステップＳ２３８に移行し、撮影直前であると判定されたとき処理はステップＳ２３７に移行する。
【０２１５】
ステップＳ２３７において、システム制御部２２５は、実際の撮影用のシャッタースピードの値を照明光のデューティー周期として設定する。処理はステップＳ２３８に移行する。
【０２１６】
ステップＳ２３８において、システム制御部２２５は、撮像素子２０６が露光期間中かをチェックする。露光期間中であると判定されたとき、処理はステップＳ２３９に移行する。ステップＳ２３９において、撮像素子２０６のシャッタースピードの値が照明光のデューティー周期として設定された状況下で、システム制御部２２５とフラッシュ制御部２３３との制御によってデューティー駆動で照明光がフラッシュ発光部２３７から出射される。
【０２１７】
ステップＳ２３８において、露光が休止中であると判定されたとき、処理はステップＳ２４０に移行する。ステップＳ２４０において、システム制御部２２５とフラッシュ制御部２３３との制御によってデューティー駆動での照明光の出射が禁止される。
【０２１８】
このように本実施形態では、撮像素子２０６のシャッタースピードの値を照明光のデューティー周期として設定でき、設定した状態で照明光を出射できる。なお撮像素子２０６のシャッタースピードに合わせて、照明光のデューティー周期が設定されてもよい。
【０２１９】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【０２２０】
１…カメラシステム、１００…レンズ、１０１…撮影レンズ、１０３…絞り、１０５…液晶絞り、２００…カメラ本体、２０１…レンズ制御部、２０３…絞り制御部、２０５…液晶絞り制御部、２０６…撮像素子、２０７…撮像制御部、２０９…Ａ／Ｄ変換部、２１１…メモリ、２１３…画像処理部、２１５…露出制御部、２１７…ＡＦ処理部、２１９…外部メモリ、２２１…表示部、２２３…不揮発性メモリ、２２５…システム制御部、２２７…操作部、２２９…電源制御部、２３１…電源部、２３３…フラッシュ制御部、２３５…フラッシュ充電部、２３７…フラッシュ発光部、３１１…撮影モードダイヤル、３１３…レリーズボタン、３１５…Ｒダイヤル、３１７…Ｆダイヤル、３１９…拡大ボタン、３２１…十字ボタン、３２３…ＯＫボタン、３２５…表示モード切替ボタン、３２６…ドライブボタン、３３５…動画ボタン、３３７…テレコンボタン。
【図１】
2019134257.tif 000003
【図２】
2019134257.tif 000004
【図３】
2019134257.tif 000005
【図４Ａ】
2019134257.tif 000006
【図４Ｂ】
2019134257.tif 000007
【図４Ｃ】
2019134257.tif 000008
【図４Ｄ】
2019134257.tif 000009
【図４Ｅ】
2019134257.tif 000010
【図４Ｆ】
2019134257.tif 000011
【図４Ｇ】
2019134257.tif 000012
【図４Ｈ】
2019134257.tif 000013
【図４Ｉ】
2019134257.tif 000014
【図４Ｊ】
2019134257.tif 000015
【図４Ｋ】
2019134257.tif 000016
【図４Ｌ】
2019134257.tif 000017
【図４Ｍ】
2019134257.tif 000018
【図４Ｎ】
2019134257.tif 000019
【図４Ｏ】
2019134257.tif 000020
【図４Ｐ】
2019134257.tif 000021
【図４Ｑ】
2019134257.tif 000022
【図４Ｒ】
2019134257.tif 000023
【図４Ｓ】
2019134257.tif 000024
【図４Ｔ】
2019134257.tif 000025
【図４Ｕ】
2019134257.tif 000026
【図５】
2019134257.tif 000027
【図６】
2019134257.tif 000028
【図７】
2019134257.tif 000029
【図８】
2019134257.tif 000030
【図９】
2019134257.tif 000031
【図１０Ａ】
2019134257.tif 000032
【図１０Ｂ】
2019134257.tif 000033
【図１０Ｃ】
2019134257.tif 000034
【図１１】
2019134257.tif 000035